(57)【要約】【課題】特定のデジタル放送信号を出力していない状態で省電力効果を得るとともに、そのデジタル放送信号への切り替えに際して違和感なく速やかに当該デジタル放送信号を出力可能とする。【解決手段】状態Ａでは、フルセグ放送を復号して出力させている。このときワンセグ放送の処理系では、ワンセグ放送のストリームからＩＤＲピクチャを検出し、それ以後のストリームをバッファに保存する。次のＩＤＲピクチャが検出された場合には、それまでの最新のストリームに更新する。フルセグ放送からワンセグ放送に切り替えられた場合には（状態Ｂ）、バッファに保存していたストリームを最初のＩＤＲピクチャから復号し、表示部に表示させる。これにより、切り替え時にワンセグ放送からＩＤＲピクチャを探索する必要がなく、バッファに保存しているストリームの復号をただちに開始することができる。【選択図】図４
2010206258.tif 000002
【特許請求の範囲】
【請求項１】
デジタル放送信号を受信して復号する手段と、前記復号したデジタル放送信号を含む少なくとも複数種類の画像ソースのいずれかを選択して出力する手段とを備えたデジタル放送受信機において、
前記複数種類の画像ソースのいずれかを選択して出力しているときに、受信したデジタル放送信号であって、出力対象として選択されていない前記デジタル放送信号のストリームから、単独で復号可能なキーフレームを検出して保存する手段を有し、
前記出力対象の選択が、前記デジタル放送信号に切り替えられたときに、前記保存したキーフレームを使用して出力を行うことを特徴とするデジタル放送受信機。
【請求項２】
請求項１に記載のデジタル放送受信機において、
前記デジタル放送信号を受信して復号する手段は、前記デジタル放送を選局するチューナ部と、該チューナ部で選局したデジタル放送を復調する復調部と、該復調部が復調したデジタル放送信号を復号する復号部とを有し、
該復号部は、入力した前記デジタル放送信号のストリームから前記キーフレームを検出するキーフレーム検出部と、
該キーフレーム検出部が検出したキーフレームを時間的に最新のキーフレームに更新しながら復号して保存するフレームメモリとを有し、
前記出力対象の選択が前記デジタル放送信号に切り替えられたときに、前記フレームメモリに保存した復号されたキーフレームを読み出して出力し、
該出力中に、選択されたデジタル放送信号から次のキーフレームが検出された場合には、該次のキーフレームからのストリームを復号して出力することを特徴とするデジタル放送受信機。
【請求項３】
請求項１に記載のデジタル放送受信機において、
前記デジタル放送信号を受信して復号する手段は、前記デジタル放送を選局するチューナ部と、該チューナ部で選局したデジタル放送を復調する復調部と、該復調部が復調したデジタル放送信号を復号する復号部とを有し、
該復号部は、前記デジタル放送信号のストリームから前記キーフレームを検出するキーフレーム検出部と、該キーフレーム検出部が検出したキーフレームを含むストリームを復号していない状態で保存するバッファとを有し、
前記デジタル放送信号のストリームから検出したキーフレームから、時間的に次に検出したキーフレームの直前までのストリームを復号していない状態で前記バッファに保存し、かつ、該バッファに保存するストリームが常に最新のキーフレームの直前までのストリームとなるように更新し、
前記出力対象の選択が前記デジタル放送信号に切り替えられたときに、前記バッファに保存したキーフレームを含むストリームを読み出して、復号して出力することを特徴とするデジタル放送受信機。
【請求項４】
請求項１に記載のデジタル放送受信機において、
前記デジタル放送信号を受信して復号する手段は、前記デジタル放送を選局するチューナ部と、該チューナ部で選局したデジタル放送を復調する復調部と、該復調部が復調したデジタル放送信号を復号する復号部とを有し、
該復号部は、前記デジタル放送信号のストリームから前記キーフレームを検出するキーフレーム検出部と、該キーフレーム検出部が検出したキーフレームを最新のキーフレームに更新しながら復号していない状態で保存するバッファとを有し、
前記出力対象の選択が前記デジタル放送信号に切り替えられたときに、前記バッファに保存したキーフレームを読み出して復号して出力し、該出力中に、選択されたデジタル放送信号から次のキーフレームが検出された場合には、該次のキーフレームを復号して出力することを特徴とするデジタル放送受信機。
【請求項５】
請求項１に記載のデジタル放送受信機において、
前記デジタル放送信号を受信して復号する手段は、前記デジタル放送を選局するチューナ部と、該チューナ部で選局したデジタル放送を復調する復調部と、該復調部が復調したデジタル放送信号を復号する復号部とを有し、
該復号部は、前記デジタル放送信号のストリームから前記キーフレームを検出するキーフレーム検出部と、該キーフレーム検出部が検出したキーフレームを含むストリームを復号していない状態で保存するバッファとを有し、前記デジタル放送信号のストリームから検出したキーフレームから、時間的に次に検出したキーフレームの直前までのストリームを復号していない状態で前記バッファに保存し、かつ、該バッファに保存するストリームが常に最新のキーフレームの直前までのストリームとなるように更新し、
前記出力対象の選択が前記デジタル放送信号に切り替えられたときに、前記バッファに保存したキーフレームを含むストリームを読み出して、早送りしながら復号して出力し、前記バッファが空になった後、選択されたデジタル放送信号のストリームを復号して出力することを特徴とするデジタル放送受信機。
【請求項６】
請求項１に記載のデジタル放送受信機において、
前記デジタル放送信号を受信して復号する手段は、前記デジタル放送を選局するチューナ部と、該チューナ部で選局したデジタル放送を復調する復調部と、該復調部が復調したデジタル放送信号を復号する復号部とを有し、
該復号部は、前記デジタル放送信号のストリームから前記キーフレームを検出するキーフレーム検出部と、該キーフレーム検出部が検出したキーフレームを含むストリームを復号していない状態で保存するバッファとを有し、前記デジタル放送信号のストリームから検出したキーフレームから、時間的に次に検出したキーフレームの直前までのストリームを復号していない状態で前記バッファに保存し、かつ、該バッファに保存するストリームが常に最新のキーフレームの直前までのストリームとなるように更新し、
前記復号部は、前記出力対象の選択が前記デジタル放送信号に切り替えられたときに、前記バッファに保存したキーフレームを含むストリームを読み出して、前記復号部が通常出力時に行う復号よりも高速の復号処理を行って廃棄し、前記バッファが空になった後、選択されたデジタル放送信号のストリームを復号して出力することを特徴とするデジタル放送受信機。
【請求項７】
デジタル放送信号を受信して復号する手段と、前記復号したデジタル放送信号を含む少なくとも複数種類の画像ソースのいずれかを選択して出力する手段とを備えたデジタル放送受信機において、
前記デジタル放送信号を受信して復号する手段は、前記デジタル放送を選局するチューナ部と、該チューナ部で選局したデジタル放送を復調する復調部と、該復調部が復調したデジタル放送信号を復号する復号部とを有し、
該復号部は、出力対象の選択が、前記複数種類の画像ソースのいずれかから前記デジタル放送信号に切り替えられたときに、前記選択されたデジタル放送信号のストリームから、単独で復号可能なキーフレームを検出し、該検出したキーフレームから前記デジタル放送信号のストリームを復号して出力し、
該デジタル放送信号のストリームが復号されるまで、前記複数種類の画像ソースのいずれかの出力を維持し、該デジタル放送信号が復号されたストリームが復号されたときに、前記複数種類の画像ソースのいずれかから前記デジタル放送信号に出力を切り替えることを特徴とするデジタル放送受信機。
【請求項８】
請求項１〜７のいずれか１に記載のデジタル放送受信機において、
前記デジタル放送信号を受信して復号する手段として、周波数帯域内のワンセグメントに割り当てられたワンセグメント放送信号を受信して復号する手段と、複数のセグメントを使用した複数セグメント放送信号を受信して復号する手段とを有し、
前記複数セグメント放送信号から前記ワンセグメント放送信号への切り替えを、前記出力対象の選択の切り替えとすることを特徴とするデジタル放送受信機。
【請求項９】
請求項１〜７のいずれか１に記載のデジタル放送受信機において、
前記デジタル放送信号を受信して復号する手段として、周波数帯域内のワンセグメントに割り当てられたワンセグメント放送信号を受信して復号する手段を複数有し、または複数のセグメントを使用した複数セグメント放送信号を受信して復号する手段を複数有し、
前記ワンセグメント放送信号同士の切り替え、または前記複数セグメント放送信号同士の切り替えを、前記出力対象の選択の切り替えとすることを特徴とするデジタル放送受信機。
【請求項１０】
請求項１〜７のいずれか１に記載のデジタル放送受信機において、
前記複数種類の画像ソースとして、前記デジタル放送受信機にて動作する特定のアプリケーションにより生成される画像ソースを出力可能で、
該アプリケーションにより生成される画像ソースの出力から前記デジタル放送信号への切り替えを、前記出力対象の選択の切り替えとすることを特徴とするデジタル放送受信機。
【請求項１１】
請求項３〜６のいずれか１に記載のデジタル放送受信機において、
前記出力対象の選択が前記デジタル放送信号に切り替えられたときに、前記バッファに保存したキーフレームを含むストリームが復号されて出力されるまでの間、前記複数種類の画像ソースのいずれかの出力を継続して、出力が途切れないようにすることを特徴とするデジタル放送受信機。
【請求項１２】
請求項８に記載のデジタル放送受信機において、
前記複数セグメント放送信号の出力を所定時間遅延させる手段を有し、同一番組を放送しているときに出力までの時間差が生じる前記複数セグメント放送信号と前記ワンセグメント放送信号との出力の時間差をなくすことを特徴とするデジタル放送受信機。
【発明の詳細な説明】
【技術分野】
【０００１】
本発明は、デジタル放送受信機、より詳細には、デジタル放送を含む複数の画像ソースを選択して出力可能なデジタル放送受信機に関する。
【背景技術】
【０００２】
図２５は、地上デジタル放送の概要を説明する図で、地上デジタルの１チャネル分の放送信号の構成を示すものである。ワンセグ（ワンセグメント）放送サービスは、地上デジタルテレビジョン放送波の１セグメントを使用した携帯端末向けのサービスであり、そのサービスを構成するＴＳ（Transport Stream）は、放送チャネルの周波数中心の１セグメントだけで伝送されているように割り付けられている。このため、地上デジタル放送の放送波の中心部分を１セグメントの帯域幅で部分受信することにより、ワンセグ放送信号のＴＳを再生することができる。
【０００３】
フルセグ（フルセグメント）放送は、主に固定受信装置向けの放送サービスであり、ワンセグ放送のセグメントとは異なる１２セグメントを使用したＨＤ（High-Definition）の番組が放送されている。また、４セグメントのＳＤ（Standard Definition）を２〜３番組同時に放送する形態もある。
ワンセグ放送のサービスと、フルセグ放送のＨＤのサービスは、通常、サイマル放送により同じ番組が放送されている。また、フルセグ放送でＳＤの番組を複数放送する場合には、その複数のＳＤの番組の１つと同じ番組がサイマルによって１セグメントによって放送される。
【０００４】
デジタル放送では、ＯＦＤＭ（Orthogonal Frequency-Division Multiplexing）による無線通信が行われ、その変調方式として一般にワンセグ放送にはＱＰＳＫ（Quadrature Phase Shift Keying）が用いられ、フルセグ放送には６４ＱＡＭ（Quadrature Amplitude Modulation）が用いられる。また、画像符号化方式は、ワンセグ放送では限られた伝送速度の中で高効率の圧縮符号化を行うためにＨ.２６４／ＡＶＣ（Advanced Video Coding）が用いられ、フルセグ放送にはＭＰＥＧ（Moving Picture Experts Group）−２が用いられている。また音声符号化方式としては、ワンセグ放送、フルセグ放送ともにＭＰＥＧ−２ ＡＡＣ(Advanced Audio Coding)が用いられる。
【０００５】
携帯電話などの端末装置では、ワンセグ放送を受信できるものが一般的である。また、例えばカーナビなどの端末装置では、フルセグ放送とワンセグ放送の両方が受信可能となっていて、映像や音質の品位が高いフルセグを受信中に受信状態が劣化したとき、フルセグ放送よりも伝送誤りに強いワンセグ放送に切り替えるようにしたものも提供されている。
【０００６】
このように、ワンセグ放送とフルセグ放送との両方が受信可能なデジタル放送受信機では、フルセグ放送を受信して出力しているときに受信状態が劣化すると、サイマルで放送されているワンセグ放送に切り替えるものがある。この場合、フルセグ放送はワンセグ放送に比して高画質、高音質であり、所要ＣＮ（Career to Noise）が高く、また変調方式としても６４ＱＡＭを使用しているため、伝送時の誤りが生じやすい。従ってフルセグ放送の出力中に受信環境等によってフルセグ放送の受信状態が劣化した場合は、低画質、低音質であるが所要ＣＮが低く誤りにくいワンセグ放送に切り替えて、出力させるようにしている。このような受信状態に応じてフルセグ放送からワンセグ放送に切り替えることにより、多少の品位低下があっても受信番組が途切れることなく番組の表示及び音声出力を継続させることができる。
【０００７】
一方、ワンセグ放送とフルセグ放送に対応した端末装置は、今後、携帯電話のような小型の携帯機器も適用されるものと予想される。このような端末装置は、殆どの場合、内蔵のバッテリーによって駆動するため、低消費電力化についても大きな課題となる。
【０００８】
デジタル放送受信機の省電力化を図るものとして、例えば特許文献１には、デジタル放送信号をクロックに従って復号するデジタル放送受信機の省電力化技術が開示されている。このデジタル放送受信機は、自装置の移動状態に対応する移動状態データを用いてクロックの供給を制御する制御手段を備えている。この制御手段は、自装置が移動中でない場合には、フルセグ放送のＴＳを復号して出力し、移動中の場合には、ワンセグ放送の受信に切り替えてワンセグ放送のＴＳを出力する。これにより、フルセグ放送の復号に要する電力を削減できるようにしている。
【０００９】
また、特許文献２には、ワンセグ放送の視聴機能をもつ携帯通信端末において、ワンセグ放送の視聴が中断された場合に生じる問題を解決し、省電力化とワンセグ放送視聴への迅速な復帰とを両立させることを目的とした携帯通信端末が開示されている。この携帯通信端末は、ワンセグ放送の視聴を中断する場合に、ワンセグ放送を視聴するためのハードウェアリソースを時間経過とともに段階的に開放していく。ここでは、部分的、段階的な開放であるため、ワンセグ放送の視聴に復帰する場合にも、開放済みの部分だけを復帰させればよく、素早い復帰が実現される。また、時間の経過に応じて開放が進展していくと省電力効果がより高まり、相当な時間経過してもワンセグ放送に復帰しない場合には、ワンセグ放送を視聴するためのハードウェアを全て動作停止状態とする。
【先行技術文献】
【特許文献】
【００１０】
【特許文献１】特開２００７−６８０２０号公報
【特許文献２】特開２００７−１０４４９０号公報
【発明の概要】
【発明が解決しようとする課題】
【００１１】
上記のようなフルセグ放送とワンセグ放送を切り替えて出力可能なデジタル放送受信機においては、例えば、フルセグ放送からワンセグ放送に切り替えたとき、ＴＳのストリームからキーフレームを探索し、そのキーフレームから復号を開始する必要がある。キーフレームは単独で復号可能なピクチャであり、フルセグ放送に適用されているＭＰＥＧ−２ではＩピクチャが該当し、ワンセグ放送に適用されているＨ．２６４／ＡＶＣではＩＤＲピクチャが該当する。例えば地上デジタル放送の規格では、ＩＤＲピクチャの送信間隔は２秒〜５秒と定められていて、放送局によって例えば２秒程度の間隔で送信されるように運用されている。
【００１２】
例えば、ＩＤＲピクチャの送信間隔が２秒の場合、フルセグ放送からワンセグ放送に切り替えた時点からＩＤＲピクチャの探索を開始すると、最初のＩＤＲピクチャが得られるまで最大で約２秒かかることになり、さらに同期を取るためにそれ以上の遅れが生じる可能性がある。
【００１３】
特許文献１のデジタル放送受信機は、上述したように、自装置が移動中でない場合には、フルセグ放送のＴＳを復号して出力し、移動中の場合にはワンセグ放送の受信に切り替えてワンセグ放送のＴＳを出力するようにしている。このような構成では、フルセグ放送を出力しているときには、ワンセグ放送を復号するためのデコーダの動作も停止させているため、フルセグ放送からワンセグ放送に切り替えたときに速やかな表示ができない。
【００１４】
また、特許文献２では、ワンセグ放送の視聴を中断する場合に、ワンセグ放送を視聴するためのハードウェアリソースを時間経過とともに段階的に開放していくため、ワンセグ放送の中断時でも特に初期段階では省電力効果が薄い。また、時間の経過に伴ってハードウェアのリソースを開放してしまうと、ワンセグ放送に復帰したときに速やかな表示を行うことができない、という問題が生じる。
【００１５】
また、例えばワンセグ（もしくはフルセグ）放送の受信機能と、Ｅメール等のアプリケーションが動作する機能とを備えた携帯端末装置等において、ワンセグ放送の視聴中に一端Ｅメール等のアプリケーションにより生成される画面に切り替えた後、再度ワンセグ放送の視聴に復帰させるとき、アプリケーションの画面の表示中にワンセグ放送の復号系を停止させてしまうと、省電力効果が得られるものの、ワンセグ放送への速やかな復帰ができなくなる、という課題もある。
【００１６】
本発明は、上述のごとき実情に鑑みてなされたもので、デジタル放送信号を含む複数の画像ソースから画像ソースを選択して出力させることができるデジタル放送受信機において、デジタル放送信号を出力していない状態で省電力効果を得るとともに、そのデジタル放送信号への切り替えに際して違和感なく速やかに当該デジタル放送信号を出力可能とするデジタル放送受信機を提供することを目的とする。
【課題を解決するための手段】
【００１７】
上記課題を解決するために、本発明の第１の技術手段は、デジタル放送信号を受信して復号する手段と、復号したデジタル放送信号を含む少なくとも複数種類の画像ソースのいずれかを選択して出力する手段とを備えたデジタル放送受信機において、複数種類の画像ソースのいずれかを選択して出力しているときに、受信したデジタル放送信号であって、出力対象として選択されていないデジタル放送信号のストリームから、単独で復号可能なキーフレームを検出して保存する手段を有し、出力対象の選択が、デジタル放送信号に切り替えられたときに、保存したキーフレームを使用して出力を行うことを特徴としたものである。
【００１８】
第２の技術手段は、第１の技術手段において、デジタル放送信号を受信して復号する手段は、デジタル放送を選局するチューナ部と、チューナ部で選局したデジタル放送を復調する復調部と、復調部が復調したデジタル放送信号を復号する復号部とを有し、復号部は、入力したデジタル放送信号のストリームからキーフレームを検出するキーフレーム検出部と、キーフレーム検出部が検出したキーフレームを時間的に最新のキーフレームに更新しながら復号して保存するフレームメモリとを有し、出力対象の選択がデジタル放送信号に切り替えられたときに、フレームメモリに保存した復号されたキーフレームを読み出して出力し、出力中に、選択されたデジタル放送信号から次のキーフレームが検出された場合には、次のキーフレームからのストリームを復号して出力することを特徴としたものである。
【００１９】
第３の技術手段は、第１の技術手段において、デジタル放送信号を受信して復号する手段は、デジタル放送を選局するチューナ部と、チューナ部で選局したデジタル放送を復調する復調部と、復調部が復調したデジタル放送信号を復号する復号部とを有し、復号部は、デジタル放送信号のストリームからキーフレームを検出するキーフレーム検出部と、キーフレーム検出部が検出したキーフレームを含むストリームを復号していない状態で保存するバッファとを有し、デジタル放送信号のストリームから検出したキーフレームから、時間的に次に検出したキーフレームの直前までのストリームを復号していない状態でバッファに保存し、かつ、バッファに保存するストリームが常に最新のキーフレームの直前までのストリームとなるように更新し、出力対象の選択がデジタル放送信号に切り替えられたときに、バッファに保存したキーフレームを含むストリームを読み出して、復号して出力することを特徴としたものである。
【００２０】
第４の技術手段は、第１の技術手段において、デジタル放送信号を受信して復号する手段は、デジタル放送を選局するチューナ部と、チューナ部で選局したデジタル放送を復調する復調部と、復調部が復調したデジタル放送信号を復号する復号部とを有し、復号部は、デジタル放送信号のストリームからキーフレームを検出するキーフレーム検出部と、キーフレーム検出部が検出したキーフレームを最新のキーフレームに更新しながら復号していない状態で保存するバッファとを有し、出力対象の選択がデジタル放送信号に切り替えられたときに、バッファに保存したキーフレームを読み出して復号して出力し、出力中に、選択されたデジタル放送信号から次のキーフレームが検出された場合には、次のキーフレームを復号して出力することを特徴としたものである。
【００２１】
第５の技術手段は、第１の技術手段において、デジタル放送信号を受信して復号する手段は、デジタル放送を選局するチューナ部と、チューナ部で選局したデジタル放送を復調する復調部と、復調部が復調したデジタル放送信号を復号する復号部とを有し、復号部は、デジタル放送信号のストリームからキーフレームを検出するキーフレーム検出部と、キーフレーム検出部が検出したキーフレームを含むストリームを復号していない状態で保存するバッファとを有し、デジタル放送信号のストリームから検出したキーフレームから、時間的に次に検出したキーフレームの直前までのストリームを復号していない状態でバッファに保存し、かつ、バッファに保存するストリームが常に最新のキーフレームの直前までのストリームとなるように更新し、出力対象の選択がデジタル放送信号に切り替えられたときに、バッファに保存したキーフレームを含むストリームを読み出して、早送りしながら復号して出力し、バッファが空になった後、選択されたデジタル放送信号のストリームを復号して出力することを特徴としたものである。
【００２２】
第６の技術手段は、第１の技術手段において、デジタル放送信号を受信して復号する手段が、デジタル放送を選局するチューナ部と、チューナ部で選局したデジタル放送を復調する復調部と、復調部が復調したデジタル放送信号を復号する復号部とを有し、復号部が、デジタル放送信号のストリームからキーフレームを検出するキーフレーム検出部と、キーフレーム検出部が検出したキーフレームを含むストリームを復号していない状態で保存するバッファとを有し、デジタル放送信号のストリームから検出したキーフレームから、時間的に次に検出したキーフレームの直前までのストリームを復号していない状態でバッファに保存し、かつ、バッファに保存するストリームが常に最新のキーフレームの直前までのストリームとなるように更新し、復号部は、出力対象の選択がデジタル放送信号に切り替えられたときに、バッファに保存したキーフレームを含むストリームを読み出して、復号部が通常出力時に行う復号よりも高速の復号処理を行って廃棄し、バッファが空になった後、選択されたデジタル放送信号のストリームを復号して出力することを特徴としたものである。
【００２３】
第７の技術手段は、デジタル放送信号を受信して復号する手段と、復号したデジタル放送信号を含む少なくとも複数種類の画像ソースのいずれかを選択して出力する手段とを備えたデジタル放送受信機において、デジタル放送信号を受信して復号する手段が、デジタル放送を選局するチューナ部と、チューナ部で選局したデジタル放送を復調する復調部と、復調部が復調したデジタル放送信号を復号する復号部とを有し、復号部は、出力対象の選択が、複数種類の画像ソースのいずれかからデジタル放送信号に切り替えられたときに、選択されたデジタル放送信号のストリームから、単独で復号可能なキーフレームを検出し、検出したキーフレームからデジタル放送信号のストリームを復号して出力し、デジタル放送信号のストリームが復号されるまで、複数種類の画像ソースのいずれかの出力を維持し、デジタル放送信号が復号されたストリームが復号されたときに、複数種類の画像ソースのいずれかからデジタル放送信号に出力を切り替えることを特徴としたものである。
【００２４】
第８の技術手段は、第１〜７のいずれか１の技術手段において、デジタル放送信号を受信して復号する手段として、周波数帯域内のワンセグメントに割り当てられたワンセグメント放送信号を受信して復号する手段と、複数のセグメントを使用した複数セグメント放送信号を受信して復号する手段とを有し、複数セグメント放送信号からワンセグメント放送信号への切り替えを、出力対象の選択の切り替えとすることを特徴としたものである。
【００２５】
第９の技術手段は、第１〜７のいずれか１の技術手段において、デジタル放送信号を受信して復号する手段として、周波数帯域内のワンセグメントに割り当てられたワンセグメント放送信号を受信して復号する手段を複数有し、または複数のセグメントを使用した複数セグメント放送信号を受信して復号する手段を複数有し、ワンセグメント放送信号同士の切り替え、または複数セグメント放送信号同士の切り替えを、出力対象の選択の切り替えとすることを特徴としたものである。
【００２６】
第１０の技術手段は、第１〜７のいずれか１の技術手段において、複数種類の画像ソースとして、デジタル放送受信機にて動作する特定のアプリケーションにより生成される画像ソースを出力可能で、アプリケーションにより生成される画像ソースの出力からデジタル放送信号への切り替えを、出力対象の選択の切り替えとすることを特徴としたものである。
【００２７】
第１１の技術手段は、第３〜６のいずれか１の技術手段において、出力対象の選択がデジタル放送信号に切り替えられたときに、バッファに保存したキーフレームを含むストリームが復号されて出力されるまでの間、複数種類の画像ソースのいずれかの出力を継続して、出力が途切れないようにすることを特徴としたものである。
【００２８】
第１２の技術手段は、第８の技術手段において、複数セグメント放送信号の出力を所定時間遅延させる手段を有し、同一番組を放送しているときに出力までの時間差が生じる複数セグメント放送信号とワンセグメント放送信号との出力の時間差をなくすことを特徴としたものである。
【発明の効果】
【００２９】
本発明によれば、デジタル放送信号を含む複数のコンテンツから特定のコンテンツを選択して出力させることができるデジタル放送受信機において、デジタル放送信号を出力していない状態で省電力効果を得るとともに、そのデジタル放送信号への切り替えに際して違和感なく速やかに当該デジタル放送信号を出力可能とすることができる。
【図面の簡単な説明】
【００３０】
【図１】本発明によるデジタル放送受信機が適用可能な電子機機器の一例を示す図で、携帯電話の外観構成を示す図である。
【図２】本発明によるデジタル放送受信機の構成例を示すブロック図である。
【図３】図２に示すデジタル放送受信機のフルセグデコーダ、ワンセグデコーダ及び映像切替部の詳細構成例を示すブロック図である。
【図４】本発明によるデジタル放送受信機の第１の実施例の動作を説明するための図である。
【図５】本発明によるデジタル放送受信機の第１の実施例における処理の流れを説明するためのフローチャートである。
【図６】本発明によるデジタル放送受信機の第１の実施例におけるデコーダ部の制御タイミングの例を示す図である。
【図７】本発明によるデジタル放送受信機の第２の実施例の動作を説明するための図である。
【図８】本発明によるデジタル放送受信機の第２の実施例における処理の流れを説明するためのフローチャートである。
【図９】本発明によるデジタル放送受信機の第２の実施例におけるデコーダ部の制御タイミングの例を示す図である。
【図１０】本発明によるデジタル放送受信機の第３の実施例の動作を説明するための図である。
【図１１】本発明によるデジタル放送受信機の第３の実施例における処理の流れを説明するためのフローチャートである。
【図１２】本発明によるデジタル放送受信機の第３の実施例におけるデコーダ部の制御タイミングの例を示す図である。
【図１３】本発明によるデジタル放送受信機の第４の実施例の動作を説明するための図である。
【図１４】本発明によるデジタル放送受信機の第４の実施例における処理の流れを説明するためのフローチャートである。
【図１５】本発明によるデジタル放送受信機の第４の実施例における処理の流れを説明するためのフローチャートで、図１４に続く図である。
【図１６】本発明によるデジタル放送受信機の第４の実施例におけるデコーダ部の制御タイミングの例を示す図である。
【図１７】本発明によるデジタル放送受信機の第５の実施例の動作を説明するための図である。
【図１８】本発明によるデジタル放送受信機の第５の実施例における処理の流れを説明するためのフローチャートである。
【図１９】本発明によるデジタル放送受信機の第５の実施例における処理の流れを説明するためのフローチャートで、図１８に続く図である。
【図２０】本発明によるデジタル放送受信機の第５の実施例におけるデコーダ部の制御タイミングの例を示す図である。
【図２１】本発明によるデジタル放送受信機の第６の実施例の動作を説明するための図である。
【図２２】本発明によるデジタル放送受信機の第６の実施例における処理の流れを説明するためのフローチャートである。
【図２３】本発明によるデジタル放送受信機の第６の実施例におけるデコーダ部の制御タイミングの例を示す図である。
【図２４】本発明に係るデジタル放送受信機において、Ｈ．２６４／ＡＶＣに基づくＩＤＲピクチャの先頭を検出するときの処理の一例を説明するためのフローチャートである。
【図２５】地上デジタル放送の概要を説明する図である。
【発明を実施するための形態】
【００３１】
図１は、本発明によるデジタル放送受信機が適用可能な電子機機器の一例を示す図で、携帯電話の外観構成を示す図である。携帯電話１００は、表示部１０１とキー入力部１０２とを有している。本発明に係るデジタル放送受信機は、携帯電話１００に適用することができる。例えば、携帯電話１００をワンセグ放送とフルセグ放送との両方を受信可能に構成することができ、ユーザの選択によっていずれかの放送サービスを視聴できるようにすることができる。また、フルセグ放送の視聴中に、フルセグ放送の受信品質が劣化したときに、ワンセグ放送に切り替えて出力し、フルセグ放送の受信品質の改善に応じてフルセグ放送の出力に復帰させるようにすることができる。これらデジタル放送信号は、本発明に係る実施例のデジタル放送受信機で出力可能な画像ソースに該当する。
【００３２】
また、携帯電話１００は、例えばＥメールやインターネットブラウザなどのアプリケーションがインストールされて動作可能であり、表示部１０１には、ユーザ操作に応じてこれらアプリケーションにより生成される画像が表示される。この画像は、例えばＥメールによるテキストやイメージ情報であったり、ブラウザに表示されるサイト情報であったりする。つまり、アプリケーションにより生成される画像もまた、本発明に係る実施例のデジタル放送受信機で出力可能な画像ソースに該当する。
携帯電話１００では、これら画像ソースのなかから１つの画像ソースを選択して出力させる機能を有している。
【００３３】
なお、本発明によるデジタル放送受信機は、上記の携帯電話１００のような携帯端末に限定されることなく、デジタル放送受信機能を備えた各種の機器や端末装置に適用することができる。
【００３４】
図２は、本発明によるデジタル放送受信機の構成例を示すブロック図である。デジタル放送受信機１は、アンテナ１０で受信したフルセグ放送を選局するチューナ部であるフルセグチューナ１１と、ワンセグ放送を選局するワンセグチューナ１２とを備える。
【００３５】
フルセグチューナ１１から出力されたフルセグメント（１２セグメント）のＴＳは、フルセグメント用のフルセグＯＦＤＭ復調部１３に入力し、復調される。そして、復調されたＴＳは、フルセグＴＳデコーダ１５に入力し、音声（Ａｕｄｉｏ）信号と映像（Ｖｉｄｅｏ）信号が分離されてＥＳ（Elementary Stream）として出力される。フルセグＴＳデコーダ１５から出力された音声信号は、図示しない音声用のデコーダで復号され、図示しないスピーカなどの音声出力部にて音声出力される。
【００３６】
また、フルセグＴＳデコーダ１５から出力された映像信号は、フルセグデコーダ１７に入力し、復号処理が行われる。フルセグデコーダ１７のより詳細な構成及び動作の例は後述する。フルセグデコーダ１７から出力された映像信号は、映像切替部１９を介して表示部２０に出力され、表示が行われる。
【００３７】
一方、ワンセグチューナ１２で選局されたワンセグ放送のＴＳは、ワンセグメント用のワンセグＯＦＤＭ復調部１４に入力し、復調される。そして、復調されたＴＳは、ワンセグＴＳデコーダ１６に入力し、音声（Ａｕｄｉｏ）信号と映像（Ｖｉｄｅｏ）信号が分離されてＥＳとして出力される。ワンセグＴＳデコーダ１６から出力された音声信号は、図示しない音声用デコーダで復号され、図示しないスピーカなどの音声出力部にて音声出力される。
【００３８】
また、ワンセグＴＳデコーダ１６から出力された映像信号は、ワンセグデコーダ１８に入力し、復号処理が行われる。ワンセグデコーダ１８のより詳細な構成及び動作の例は後述する。ワンセグデコーダ１８から出力された映像信号は、映像切替部１９を介して表示部２０に出力され、表示が行われる。
【００３９】
制御部２１は、デジタル放送受信機１の各部を制御する。また、操作入力部２２は、ユーザによる操作入力を受け付けるもので、例えば図１の携帯電話ではキー入力部１０２に相当するものである。また、この他、タッチパネルやリモコンなどの操作入力手段を適用することもできる。
【００４０】
フルセグＯＦＤＭ復調部１３は、フルセグチューナ１１で選局されたフルセグ放送の受信品質を監視し、フルセグ放送の受信品質が劣化したと判断すると、映像切替部１９を制御してフルセグ放送の出力表示からワンセグ放送の出力表示に切り替える。また、このときに図示しない音声信号についても、フルセグ放送の音声信号からワンセグ放送の音声信号に切り替えられる。受信状態の劣化の判断は、所定の条件に従って行われる。例えば、フルセグＯＦＤＭ復調部１３では、フルセグチューナ１１で検出されるＣＮや誤り率（ＢＥＲ；Bit Error Rate)の所定の特性値を所定の閾値と比較することにより、受信状態の劣化の有無を判定する。また、この他、フルセグ放送とワンセグ放送との切り替えは、操作入力部２２に対する所定の操作入力に応じて実行することもできる。
本発明は、チップ化して実現可能である。その際には、フルセグＴＳデコーダ１５、ワンセグＴＳデコーダ１６、フルセグデコーダ１７、ワンセグデコーダ１８の範囲が１チップに内蔵されてもよい。あるいは、フルセグチューナ１１、ワンセグチューナ１２、フルセグＯＦＤＭ復調部１３、ワンセグＯＦＤＭ復調部１４、フルセグTSデコーダ１５、ワンセグＴＳデコーダ１６、フルセグデコーダ１７、ワンセグデコーダ１８の範囲が１チップに内蔵されてもよい。
【００４１】
図３は、図２に示すデジタル放送受信機のフルセグデコーダ、ワンセグデコーダ及び映像切替部の詳細構成例を示すブロック図である。
フルセグデコーダ１７には、フルセグ放送のＭＰＥＧ−２のストリーム（符号化データ）が入力する。フルセグデコーダ１７に入力したフルセグ放送の符号化データは、可変長復号部（ＶＬＤ）１７１で復号される。
【００４２】
フルセグデコーダ１７で、復号により得られた量子化係数は逆量子化部（ＩＱ）１７２で逆量子化され、逆量子化された変換係数が逆ＤＣＴ部（ＩＤＣＴ）１７３で逆ＤＣＴ変換される。そして逆ＤＣＴ変換により再構成された残差画像は、加算部１７４で動き補償部（ＭＣ）１７５から出力された予測ブロックに加算され、映像切替部１９に出力される。また、加算部１７５から出力された再構成された残差画像は、フレームメモリ１７６に保存され、動き補償部（ＭＣ）１７５にて予測ブロックが生成され、加算部１７４に出力される。動き補償部１７５では、可変長復号部１７１で復号した差分ベクトルから動きベクトルを計算し、予測ブロックの生成に使用する。
【００４３】
一方、ワンセグデコーダ１８には、ワンセグ放送のＨ．２６４／ＡＶＣのストリーム（符号化データ）が入力する。ワンセグデコーダ１８に入力したワンセグメント放送の符号化データからは、パターン検出部１８１でＩＤＲピクチャが検出され、可変長復号部（ＶＬＤ）１８２で復号される。パターン検出部１８１は、本発明にてキーフレームを検出するキーフレーム検出部に相当するものである。
【００４４】
可変長復号部１８２により得られた量子化係数は逆量子化部（ＩＱ）１８３で逆量子化され、逆量子化された変換係数が逆ＤＣＴ部（ＩＤＣＴ）１８４で逆ＤＣＴ変換される。そして逆ＤＣＴにより再構成された残差画像は、加算部１８５で動き補償部１８８から出力された予測ブロックに加算され、デブロッキングフィルタ１８６によりブロッキングアーティファクトが軽減されて映像切替部１９に出力される。またデブロッキングフィルタ１８６から出力された再構成された残差画像は、フレームメモリ１８７に保存され、動き補償部（ＭＣ）１８８にて予測ブロックが生成され、加算部１８５に出力される。動き補償部１８８では、可変長復号部１８２で復号した差分ベクトルから動きベクトルを計算し、予測ブロックの生成に使用する。
【００４５】
バッファ１８９は、パターン検出部１８１で検出したＩＤＲピクチャを符号化データのまま保存するものである。後述する本発明に係る実施例においては、フルセグ放送の出力時に、パターン検出部１８１で検出したＩＤＲピクチャをバッファ１８９に保存し、もしくは検出したＩＤＲピクチャから次のＩＤＲピクチャまでのストリームを保存し、フルセグ放送の受信品質の劣化等に応じて、フルセグ放送の出力からワンセグ放送の出力に切り替えられたときに、バッファ１８９から読み出した符号化データを復号して出力させる。また、他の実施例では、バッファ１８９を用いることなく、フルセグ放送の出力時にワンセグ放送のＩＤＲピクチャを復号したものをフレームメモリ１８７に保存しておき、フルセグ放送からワンセグ放送への切り替え時にその復号済みデータを用いて映像出力を行わせるようにしている。これにより、フルセグ放送からワンセグ放送への切替時に違和感なく速やかに映像出力を可能とするデジタル放送受信機を提供することができる。各実施例の動作の詳細を以下に説明する。
【００４６】
（第１の実施例）
図４は、本発明によるデジタル放送受信機の第１の実施例の動作を説明するための図である。ここでは、デジタル放送受信機でフルセグ放送を表示中に、ワンセグ放送に切り替えるときの処理、及び切り替えられたワンセグ放送からフルセグ放送に復帰するときの処理例について説明する。
【００４７】
上述したように、ワンセグ放送とフルセグ放送との両方が受信可能なデジタル放送受信機では、フルセグ放送を受信して出力しているときに受信状態が劣化すると、サイマルで放送されているワンセグ放送に切り替えるものがある。この場合、フルセグ放送はワンセグ放送に比して高画質、高音質であり、所要ＣＮ（Career to Noise）が高く、また変調方式としても６４ＱＡＭを使用しているため、伝送時の誤りが生じやすい。従ってフルセグ放送の出力中に受信環境等によってフルセグ放送の受信状態が劣化した場合は、低画質、低音質であるが所要ＣＮが低く誤りにくいワンセグ放送に切り替えて、出力させるようにしている。このような受信状態に応じてフルセグ放送からワンセグ放送に切り替えることにより、多少の品位低下があっても受信した放送サービスが途切れることなくその出力を継続させることができる。
【００４８】
またフルセグ放送とワンセグ放送とを相互に手動で切り替えることも可能となっている。この場合には、デジタル放送受信機１の操作入力部２２に対してユーザが所定の操作を行うことにより、フルセグ放送からワンセグ放送への切り替え、及びワンセグ放送からフルセグ放送への切り替えを適宜行うことができる。
以下の実施例では、フルセグ放送の受信状態に応じてフルセグ放送とワンセグ放送とを切り替える動作用いてを説明するが、ユーザ操作による切り替え動作に対しても同様の処理を適用可能である。また、下記に説明する本発明の他の実施例についても同様である。
【００４９】
フルセグ放送とワンセグ放送との切換を行うデジタル放送受信機において、本発明に係る第１の実施例では、フルセグ放送を復号して出力しているときに、ワンセグ放送の符号化データからキーフレームであるＩＤＲピクチャを検出し、検出したＩＤＲピクチャ以後、次のＩＤＲピクチャまでのストリームをバッファ１８９に保存しておくことにより、低消費電力化を図るとともに、フルセグ放送からワンセグ放送への切り替え表示を違和感なく迅速に行うことができるようにしている。
【００５０】
例えば、図４の状態Ａにてフルセグ放送を復号して出力させているものとする。この状態Ａでは、ワンセグ放送の処理系では、ワンセグデコーダ１８に入力したストリームからパターン検出部１８１にてキーフレームであるＩＤＲピクチャを検出する。ここではパターン検出部１８１は、ＩＤＲピクチャをパターンマッチングで検出する処理を行う。
【００５１】
ワンセグデコーダ１８では、パターン検出部１８１で検出したＩＤＲピクチャ以後のストリームをバッファ１８９に保存する。そしてパターン検出部１８１が次のＩＤＲピクチャを検出した場合には、これまで保存しておいた前回のＩＤＲピクチャから今回のＩＤＲピクチャの直前のピクチャまでのストリームをバッファ１８９から削除して廃棄し、今回のＩＤＲピクチャ以後のストリームをバッファ１８９に保存する。こうしてフルセグ放送を復号して出力している間は、このようなワンセグ放送のＩＤＲピクチャ間（ＩＤＲピクチャから次のＩＤＲピクチャの直前）のストリームの保存処理を繰り返して実行する。
【００５２】
次に、デジタル放送受信機１は、状態Ａでフルセグ放送の受信品質の劣化によりワンセグ放送の出力に切り替えた場合には、状態Ｂに移行する。フルセグ放送の受信品質が劣化した場合には、フルセグ放送の復号は不可となる。そしてフルセグ放送からワンセグ放送に切り替えられたときに、ワンセグデコーダ１８では、バッファ１８９に保存していたストリームを最初のＩＤＲピクチャから復号し、表示部２０に対して出力させる。ＩＤＲピクチャは単独で復号が可能であり、ＩＤＲピクチャを復号することにより以後の連続したストリームの復号が可能となる。
【００５３】
つまり状態Ｂでは、その切り替わり後にバッファ１８９に保存しているＩＤＲピクチャ以後のストリームを復号して表示させる。ここでは切り替え時にワンセグ放送からＩＤＲピクチャを探索する必要がなく、バッファ１８９に保存しているストリームの復号をただちに開始することができる。なお、フルセグ放送からワンセグ放送への切り替え時に、バッファ１８９に保存したストリームを復号するごく僅かな時間の間に映像が途切れることがないように、復号されたワンセグ放送が表示されるまでは、フルセグ放送の画面を表示させておくようにするとよい。
【００５４】
ワンセグ用のバッファ１８９に保存していたストリームが表示された後は、受信したワンセグ放送を連続して表示させるが、この場合、受信したワンセグ放送のストリームを順次バッファ１８９に保存しながら、ストリームが時間的に連続するようにバッファ１８９からＦＩＦＯ（First In First Out）によりストリームを読み出して復号する。あるいは、バッファ１８９のストリームを復号して出力し終わったら、受信中のワンセグ放送に切り替えるものであってもよい。この場合、見た目には違和感があまりなく、また映像が途切れて視覚的に低品位となるような問題は生じない。
【００５５】
ワンセグ放送を出力している状態（状態Ｂ）から、再度フルセグ放送の受信状態が改善してフルセグ放送に切り替える場合、状態Ｃに移行する。状態Ｃでは、フルセグ放送のストリームの復号を行って、出力可能となったところでワンセグ放送からフルセグ放送に切り替える。フルセグ放送は、ＭＰＥＧ−２のストリームのキーフレームであるＩピクチャから復号を行って表示させることができる。フルセグ放送が出力されている状態Ｃでは、状態Ａと同様に、ワンセグ放送のストリームからＩＤＲピクチャを検出し、次のＩＤＲピクチャまでのストリームをバッファ１８９に保存する処理を繰り返していく。
【００５６】
本実施例の処理によれば、フルセグ放送を出力時に動作しているワンセグ放送の処理系は、パターン検出部１８１とバッファ１８９のみであり、ワンセグ放送の通常の復号処理と比較して消費電力を削減させることができる。また、本実施例によれば、通常のワンセグデコーダ１８に対してバッファ１８９を追加する必要が生じるが、例えば、必要なメモリ容量は、ワンセグ放送のビットレートである４１６ｋｂｐｓとＩＤＲピクチャの最大間隔の一例である５秒とを鑑みて、例えば３００ｋＢｙｔｅ程度の小規模なもので済む。
【００５７】
なお音声出力についても、フルセグ放送からワンセグ放送の切り替え時に映像とともに映像に同期して切り替えられる。本実施例では、フルセグ放送からワンセグ放送への切り替え時に、音声の連続性が若干途切れることになるが、切り替え前にフルセグ放送の音声出力をフェードアウトし、切り替え後のワンセグ放送の音声をフェードインすることで、切り替え時の違和感をさらに緩和するようにしてもよい。また、この他、フルセグ放送からワンセグ放送への切り替え時に、例えば、数ｍｓｅｃ程度消音してもよい。この場合、切り替え前の音声出力を消音するか、あるいは切り替え後の音声出力を消音するか、もしくは両方の音声出力を消音する、などの手法が考えられる。以下の他の実施例についても、音声出力の切り替え処理については、同様の動作を行わせることができ、繰り返しの説明は省略する。
【００５８】
図５は、本発明によるデジタル放送受信機の第１の実施例における処理の流れを説明するためのフローチャートである。
デジタル放送受信機１では、フルセグ放送を受信中にその受信品質を監視している。そしてフルセグ放送の受信品質が悪化していない場合には、ワンセグデコーダ１８のパターン検出部１８１に符号化ストリームのデータを入力し（ステップＳ２）、パターン検出部１８１にてＩＤＲピクチャの先頭を検出する（ステップＳ３）。ＩＤＲピクチャの先頭が検出されなければ、パターン検出部１８１に対するデータ入力を続行し、ＩＤＲピクチャの先頭が検出された場合には（ステップＳ３−Ｙｅｓ）、ワンセグデコーダ１８では、パターン検出部１８１の内容をバッファ１８９に保存する（ステップＳ４）。パターン検出部１８１の内容とは、検出したＩＤＲピクチャ以後に入力したストリームのデータである。
【００５９】
そして、この状態でフルセグ放送の受信品質が悪化していなければ（ステップＳ５−Ｎｏ）、パターン検出部１８１に対するワンセグ放送のストリームのデータ入力を行う（ステップＳ６）。そしてＩＤＲピクチャの先頭が検出されると（ステップＳ７−Ｙｅｓ）、バッファ１８９をクリアし（ステップＳ８）、パターン検出部１８１の内容をバッファに保存する（ステップＳ４）。
【００６０】
一方、上記ステップＳ１、もしくはステップＳ５でフルセグ放送の受信品質が悪化した場合には、フルセグ放送の受信品質が回復していないことを確認し（ステップＳ９―Ｎｏ）、ワンセグデコーダ１８のバッファ１８９からストリームのデータを読み出す（ステップＳ１０）。フルセグの受信品質が回復していればステップＳ１に戻る。
ワンセグデコーダ１８では、ステップＳ１０でストリームのデータを読み出した後、可変長復号部１８２で可変長復号を行い（ステップＳ１１）、逆量子化部１８３で逆量子化を行い（ステップＳ１２）、逆ＤＣＴ変換部１８４で逆ＤＣＴ変換を行う（ステップＳ１３）。次にフレーム間予測であれば（ステップＳ１４−Ｙｅｓ）、動き補償処理を行い（ステップＳ１５）、デブロッキングフィルタ処理を行う（ステップＳ１６）。また、フレーム間予測でなければ（ステップＳ１４−Ｎｏ）、そのままデブロッキングフィルタ処理を行う（ステップＳ１６）。そして、デブロッキングフィルタ処理を行った画像を表示部２０に表示させる（ステップＳ１７）。
【００６１】
図６は、本発明によるデジタル放送受信機の第１の実施例におけるデコーダ部の制御タイミングの例を示す図である。まずチューナからの制御によってフルセグ放送のストリームが復号されて出力されている場合（状態Ａ）には、フルセグデコーダ１７が動作している。またワンセグ放送の処理系では、パターン検出部１８１及びバッファ１８９が動作し、他の部分、すなわち、可変長復号部（ＶＬＤ）１８２、逆量子化部（ＩＱ）１８３、逆ＤＣＴ変換部（ＩＤＣＴ）１８４、デブロッキングフィルタ（ＤＦ）１８６、動き補償部（ＭＣ）１８８、及びフレームメモリ１８７は動作していない。
【００６２】
フルセグ放送の受信状態が悪化してフルセグ放送からワンセグ放送に出力が切り替えられた場合（状態Ｂ）、フルセグデコーダ１７の動作は停止する。状態Ｂでは、ワンセグ放送の処理系では、パターン検出部１８１及びバッファ１８９は動作したままであり、他の部分、すなわち、可変長復号部１８２、逆量子化部１８３、逆ＤＣＴ変換部１８４、デブロッキングフィルタ１８６、動き補償部１８８、及びフレームメモリ１８７も動作し、ワンセグ放送が復号されて出力される。
【００６３】
そしてフルセグ放送の受信状態が再度良好となってワンセグ放送からフルセグ放送に復帰する場合（状態Ｃ）、状態Ａと同様にフルセグデコーダ１７が動作し、ワンセグのパターン検出部１８１及びバッファ１８９が動作したままとなる。そして他の部分、すなわち、ワンセグの可変長復号部１８２、逆量子化部１８３、逆ＤＣＴ変換部１８４、デブロッキングフィルタ１８６、動き補償部１８８、及びフレームメモリ１８７の動作が停止され、フルセグ放送が復号されて出力される。
【００６４】
（第２の実施例）
図７は、本発明によるデジタル放送受信機の第２の実施例の動作を説明するための図である。フルセグ放送とワンセグ放送との切換を行うデジタル放送受信機において、本発明に係る第２の実施例では、フルセグ放送を復号して出力しているときに、ワンセグ放送のストリームからＩＤＲピクチャを検出し、検出したＩＤＲピクチャのみを復号してフレームメモリに保存しておくことにより、低消費電力化を図るとともに、フルセグ放送からワンセグ放送への切り替え時の表示を違和感なく迅速に行うことができるようにしている。
【００６５】
例えば、図７の状態Ａにてフルセグ放送を復号して出力させているものとする。この状態Ａでは、ワンセグ放送の処理系では、ワンセグデコーダ１８に入力したストリームからパターン検出部１８１でＩＤＲピクチャを検出する。ここではパターン検出部１８１は、ＩＤＲピクチャをパターンマッチングで検出する処理を行う。
【００６６】
そして、ワンセグデコーダ１８では、パターン検出部１８１で検出したＩＤＲピクチャを復号して保存しておく。復号したＩＤＲピクチャの保存先は、フレームメモリ１８７を使用することができるが、他のメモリを用意してもよい。本実施例では、復号したＩＤＲピクチャを保存しておくため、図３の構成のバッファ１８９は必要ない。従って、従来の通常のワンセグデコーダの構成を利用して本実施例の処理を実行できる。
【００６７】
そしてパターン検出部１８１が次のＩＤＲピクチャを検出した場合には、これまで保存していた前回のＩＤＲピクチャの復号画像をフレームメモリ１８７から削除して廃棄し、今回のＩＤＲピクチャを復号してフレームメモリ１８７に保存する。こうしてフルセグ放送を復号して出力している間は、ワンセグ放送のＩＤＲピクチャごとの復号画像の保存処理を繰り返して実行する。
【００６８】
次に、デジタル放送受信機は、状態Ａでフルセグ放送の受信品質の劣化によりワンセグ放送の出力に切り替えた場合には、状態Ｂに移行する。フルセグ放送の受信品質が劣化した場合には、フルセグ放送の復号は不可となる。そしてフルセグ放送からワンセグ放送に切り替えられたときに、ワンセグデコーダ１８では、フレームメモリ１８７に保存していた復号済みの画像を出力する。つまり状態Ｂでは、その切り替わりの当初からフレームメモリ１８７に保存されているＩＤＲピクチャの復号画像を表示させる。そして、出力したＩＤＲピクチャの表示をそのまま維持し、フルセグ放送の受信状態の改善を待つ。また、出力しているＩＤＲピクチャの次のＩＤＲピクチャが受信された場合には、そのＩＤＲピクチャを復号して現在表示しているＩＤＲピクチャから切り替える。これにより、ＩＤＲピクチャごとに復号画像が表示されることになる。このような表示によって、フルセグ放送からワンセグ放送に切り替える時にワンセグ放送のＩＤＲピクチャを探索する必要がなくなり、フレームメモリ１８７に保存されている復号画像をただちに表示させることができる。
【００６９】
ワンセグ放送のＩＤＲピクチャを出力している状態（状態Ｂ）から、受信状態の改善により再度フルセグ放送の出力に切り替える場合、状態Ｃに移行する。状態Ｃでは、フルセグ放送のストリームの復号を行って、出力可能となったところでワンセグ放送からフルセグ放送に切り替えればよい。フルセグ放送は、ストリームのＩピクチャから復号して表示させることができる。フルセグ放送が出力されている状態Ｃでは、状態Ａと同様に、ワンセグ放送のストリームからＩＤＲピクチャを検出し、検出したＩＤＲピクチャを復号してフレームメモリ１８７に保存する処理を繰り返していく。
【００７０】
本実施例の処理によれば、フルセグ放送の出力時には、ワンセグ放送の処理系では、パターン検出部１８１でＩＤＲピクチャを検出し、そのＩＤＲピクチャのみを復号してフレームメモリ１８７に保存する処理のみが行われているので、ワンセグ放送の通常の復号処理と比較して消費電力を削減させることができる。また、本実施例によれば、ＩＤＲピクチャを復号した状態でワンセグデコーダ１８のフレームメモリ１８７に保存させておくので、フルセグ放送からワンセグ放送に切り替えたときに瞬時に切り替え表示を行うことができる。またこれらの処理系の制御の簡易である。
【００７１】
図８は、本発明によるデジタル放送受信機の第２の実施例における処理の流れを説明するためのフローチャートである。
デジタル放送受信機１では、フルセグ放送を受信中にその受信品質を監視している。そしてフルセグ放送の受信品質が悪化していない場合には（ステップＳ２１−Ｎｏ）、ワンセグデコーダ１８のパターン検出部１８１に符号化ストリームのデータを入力し（ステップＳ２２）、パターン検出部１８１にてＩＤＲピクチャの先頭を検出する（ステップＳ２３）。
【００７２】
ＩＤＲピクチャの先頭が検出されなければ、パターン検出部１８１に対するデータ入力を続行する。また、ＩＤＲピクチャの先頭が検出された場合には（ステップＳ２３−Ｙｅｓ）、可変長復号部１８２で可変長復号を行い（ステップＳ２４）、逆量子化部１８３で逆量子化を行い（ステップＳ２５）、逆ＤＣＴ変換部１８４で逆ＤＣＴ変換を行う（ステップＳ２６）。そして、デブロッキングフィルタ処理を行って（ステップＳ２７）、復号画像をフレームメモリ１８７に保存する（ステップＳ２８）。その後ＩＤＲピクチャの１フレーム分の復号が終了したかどうかを判断し（ステップＳ２９）、１フレーム分の復号が終了していなければステップＳ２４に戻って復号処理を行い、１フレーム分の復号が終了していればステップＳ２１に戻ってフルセグ放送の受信品質を判断する。
【００７３】
ステップＳ２１でフルセグ放送の受信品質が悪化した場合、フルセグ放送の受信品質が回復していないことを確認し（ステップＳ３０−Ｎｏ）、ワンセグデコーダ１８のフレームメモリ１８７からデータを読み出して（ステップＳ３１）、表示部２０に表示させる（ステップＳ３２）。また、ステップＳ３０でフルセグ放送の受信品質が回復していれば、ステップＳ２１に戻る。
【００７４】
ステップＳ３２でワンセグ放送の１フレームの画像を表示した後、フルセグ放送の受信品質が回復していない場合には（ステップＳ３３−Ｎｏ）、ワンセグデコーダのパターン検出部１８１に符号化ストリームのデータを入力し（ステップＳ３４）、パターン検出部１８１にてＩＤＲピクチャの先頭を検出する（ステップＳ３５）。
【００７５】
ＩＤＲピクチャの先頭が検出されなければ、パターン検出部１８１に対するデータ入力を続行する。また、ＩＤＲピクチャの先頭が検出された場合には（ステップＳ３５−Ｙｅｓ）、可変長復号部１８２で可変長復号を行い（ステップＳ３６）、逆量子化部１８３で逆量子化を行い（ステップＳ３７）、逆ＤＣＴ変換部１８４で逆ＤＣＴ変換を行う（ステップＳ３８）。そして、デブロッキングフィルタ処理を行って（ステップＳ３９）、表示部に表示させる（ステップＳ４０）。そしてＩＤＲピクチャの１フレーム分の復号が終了したかどうかを判断し（ステップＳ４１）、１フレーム分の復号が終了していなければステップＳ３６に戻って復号処理を行い、１フレーム分の復号が終了していればステップＳ３３に戻ってフルセグ放送の受信品質を判断する。
【００７６】
図９は、本発明によるデジタル放送受信機の第２の実施例におけるデコーダ部の制御タイミングの例を示す図である。まずチューナからの制御によってフルセグ放送のストリームが復号されて出力されている場合（状態Ａ）、フルセグデコーダ１７が動作している。またワンセグ放送の処理系では、パターン検出部１８１が動作し、さらにＩＤＲピクチャが検出されるタイミングで、可変長復号部（ＶＬＤ）１８２、逆量子化部（ＩＱ）１８３、逆ＤＣＴ変換部（ＩＤＣＴ）１８４、デブロッキングフィルタ（ＤＦ）１８６、及びフレームメモリ１８７が動作する。ＩＤＲピクチャごとに復号を行うため、動き補償部（ＭＣ）１８８は動作しない。
【００７７】
フルセグ放送の受信状態が悪化してフルセグ放送からワンセグ放送に出力が切り替えられた場合（状態Ｂ）、フルセグデコーダ１７の動作は停止する。また、状態Ｂにおいても、ワンセグの処理系の動作は状態Ａと同様であり、パターン検出部１８１が動作し、さらにＩＤＲピクチャが検出されるタイミングで、可変長復号部１８２、逆量子化部１８３、ワンセグの逆ＤＣＴ変換部１８４、デブロッキングフィルタ１８６、及びフレームメモリ１８７が動作する。これにより、ワンセグ放送のＩＤＲピクチャの画像が表示される。表示されているＩＤＲピクチャの次のＩＤＲピクチャを受信したときには、ＩＤＲピクチャの画像が切り替わる。
【００７８】
そしてフルセグ放送の受信状態が再度良好となってワンセグ放送からフルセグ放送に復帰する場合（状態Ｃ）、状態Ａと同様にフルセグデコーダ１７が動作する。そして状態Ａ，Ｂと同様に、パターン検出部１８１が動作し、ＩＤＲピクチャが検出されるタイミングで、可変長復号部１８２、逆量子化部１８３、逆ＤＣＴ変換部１８４、デブロッキングフィルタ１８６、及びフレームメモリ１８７が動作する。
【００７９】
（第３の実施例）
図１０は、本発明によるデジタル放送受信機の第３の実施例の動作を説明するための図である。フルセグ放送とワンセグ放送との切換を行うデジタル放送受信機において、本発明に係る第３の実施例では、フルセグ放送を復号して出力しているときに、ワンセグ放送のストリームからＩＤＲピクチャを検出し、検出したＩＤＲピクチャのみを復号してフレームメモリに保存しておくことにより、低消費電力化を図るとともに、フルセグからワンセグへの切り替え時の表示を違和感なく迅速に行うことができるようにしている。実施例２との違いは、ワンセグ放送の出力時にフレームメモリに保存したＩＤＲピクチャの次のＩＤＲピクチャから復号を行ってストリームを表示させることにある。以下に具体的に説明する。
【００８０】
例えば、図１０の状態Ａにてフルセグ放送を復号して出力させているものとする。この状態Ａでは、ワンセグ放送の処理系では、ワンセグデコーダ１８に入力したストリームからパターン検出部１８１でＩＤＲピクチャを検出する。ここではパターン検出部１８１は、ＩＤＲピクチャをパターンマッチングで検出する処理を行う。
【００８１】
そして、ワンセグデコーダ１８では、パターン検出部１８１で検出したＩＤＲピクチャを復号して保存させておく。復号したＩＤＲピクチャの保存先は、フレームメモリ１８７を使用することができるが、他のメモリを用意してもよい。本実施例では、復号したＩＤＲピクチャを保存しておくため、図３の構成のバッファ１８９は必要ない。従って、従来の通常のワンセグデコーダの構成を利用して本実施例の処理を実行できる。
【００８２】
そしてパターン検出部１８１が次のＩＤＲピクチャを検出した場合には、これまで保存していた前回のＩＤＲピクチャの復号画像をフレームメモリ１８７から削除して廃棄し、今回のＩＤＲピクチャを復号してフレームメモリ１８７に保存する。こうしてフルセグ放送を復号して出力している間は、ワンセグ放送のＩＤＲピクチャごとの復号画像の保存処理を繰り返して実行する。
【００８３】
次に、デジタル放送受信機は、状態Ａでフルセグ放送の受信品質の劣化等によりワンセグ放送の出力に切り替えた場合には、状態Ｂに移行する。フルセグ放送の受信品質が劣化した場合には、フルセグ放送の復号は不可となる。そしてフルセグ放送からワンセグ放送に切り替えられたときに、ワンセグデコーダ１８では、フレームメモリ１８７に保存していた復号済みの画像を出力する。つまり状態Ｂでは、その切り替わりの当初からフレームメモリ１８７に保存しているＩＤＲピクチャの復号画像を表示させる。そして、出力したＩＤＲピクチャの表示をそのまま維持する。また、出力しているＩＤＲピクチャの次のＩＤＲピクチャが受信された場合には、そのＩＤＲピクチャから後のストリームを復号し、現在表示しているＩＤＲピクチャに切り替えて表示させる。これにより、フレームメモリ１８７に保存している最初のＩＤＲピクチャのみ表示が維持され、次のＩＤＲピクチャからは復号されたストリームの画像が表示される。このような表示によって、フルセグ放送からワンセグ放送に切り替える時にワンセグ放送からＩＤＲピクチャを探索する必要がなく、フレームメモリ１８７に保存している復号画像をただちに表示させることができ、さらに次のＩＤＲピクチャからは復号されたワンセグ放送の画像を表示させることができる。
【００８４】
ワンセグ放送のＩＤＲピクチャを出力している状態（状態Ｂ）から、受信状態の改善により再度フルセグ放送の出力に切り替える場合、状態Ｃに移行する。状態Ｃでは、フルセグ放送のストリームの復号を行って、出力可能となったところでワンセグ放送からフルセグ放送に切り替えればよい。フルセグ放送は、ストリームのＩピクチャから復号して表示させることができる。フルセグ放送が出力されている状態Ｃでは、状態Ａと同様に、ワンセグ放送のストリームからＩＤＲピクチャを検出し、検出したＩＤＲピクチャを復号してフレームメモリ１８７に保存する処理を繰り返していく。
【００８５】
本実施例の処理によれば、フルセグ放送の出力時には、ワンセグ放送の処理系では、パターン検出部１８１でＩＤＲピクチャを検出し、そのＩＤＲピクチャのみを復号してフレームメモリ１８７に保存する処理のみが行われているので、ワンセグ放送の通常の復号処理と比較して消費電力を削減させることができる。
また、本実施例によれば、ＩＤＲピクチャを復号した状態でワンセグデコーダ１８のフレームメモリ１８７に保存させておくので、フルセグ放送からワンセグ放送に切り替えたときに瞬時に切り替え表示を行うことができる。また、フルセグ放送からワンセグ放送に切り替えたときに、次のＩＤＲピクチャからは復号されたストリームの画像が表示されるため、違和感が少なくワンセグ放送の表示を行わせることができる。
【００８６】
図１１は、本発明によるデジタル放送受信機の第３の実施例における処理の流れを説明するためのフローチャートである。
デジタル放送受信機１では、フルセグ放送を受信中にその受信品質を監視している。そしてフルセグ放送の受信品質が悪化していない場合には（ステップＳ５１−Ｎｏ）、ワンセグデコーダ１８のパターン検出部１８１に符号化ストリームのデータを入力し（ステップＳ５２）、パターン検出部１８１にてＩＤＲピクチャの先頭を検出する（ステップＳ５３）。
【００８７】
ＩＤＲピクチャの先頭が検出されなければ、パターン検出部１８１に対するデータ入力を続行する。また、ＩＤＲピクチャの先頭が検出された場合には（ステップＳ５３−Ｙｅｓ）、可変長復号部１８２で可変長復号を行い（ステップＳ５４）、逆量子化部１８３で逆量子化を行い（ステップＳ５５）、逆ＤＣＴ変換部１８４で逆ＤＣＴ変換を行う（ステップＳ５６）。そして、デブロッキングフィルタ処理を行って（ステップＳ５７）、復号画像をフレームメモリ１８７に保存する（ステップＳ５８）。その後ＩＤＲピクチャの１フレーム分の復号が終了したかどうかを判断し（ステップＳ５９）、１フレーム分の復号が終了していなければステップＳ５４に戻って復号処理を行い、１フレーム分の復号が終了していればステップＳ５１に戻ってフルセグ放送の受信品質を判断する。
【００８８】
ステップＳ５１でフルセグ放送の受信品質が悪化した場合、フルセグ放送の受信品質が回復していないことを確認し（ステップＳ６０−Ｎｏ）、ワンセグデコーダ１８のフレームメモリ１８７からデータを読み出して（ステップＳ６１）、表示部２０に表示させる（ステップＳ６２）。また、ステップＳ６０でフルセグ放送の受信品質が回復していれば、ステップＳ５１に戻る。
【００８９】
ステップＳ６２でワンセグ放送の１フレームの画像を表示した後、フルセグ放送の受信品質が回復していない場合には（ステップＳ６３−Ｎｏ）、バッファ１８９からデータを読み出す（ステップＳ６４）。ここでは、ワンセグ放送用のパターン検出部１８１にて次のＩＤＲピクチャを検出し、バッファ１８９に保存しておく。フルセグ放送からワンセグ放送に切り替えて、復号済みのＩＤＲピクチャをフレームメモリ１８７から読み出して表示した後、次のＩＤＲピクチャからは、バッファ１８９に保存した符号化された状態のＩＤＲピクチャを利用してストリームの復号及び表示を行わせる。
【００９０】
上記のステップＳ６４でバッファからデータを読み出した後、可変長復号部１８２で可変長復号を行い（ステップＳ６５）、逆量子化部１８３で逆量子化を行い（ステップＳ６６）、逆ＤＣＴ変換部１８４で逆ＤＣＴ変換を行う（ステップＳ６７）。次にフレーム間予測であれば（ステップＳ６８−Ｙｅｓ）、動き補償処理を行い（ステップＳ６９）、デブブロッキングフィルタ処理を行う（ステップＳ７０）。また、フレーム間予測でなければ（ステップＳ６８−Ｎｏ）、そのままデブロッキングフィルタ処理を行う（ステップＳ７０）。そして、デブロッキングフィルタ処理を行った画像を表示部に表示させ（ステップＳ７１）、ステップＳ６３に戻ってフルセグの受信品質を確認する。ステップＳ６３でフルセグ放送の受信品質が回復している場合には、ステップＳ５１に戻る。
【００９１】
図１２は、本発明によるデジタル放送受信機の第３の実施例におけるデコーダ部の制御タイミングの例を示す図である。まずチューナからの制御によってフルセグ放送のストリームが復号されて出力されている場合（状態Ａ）、フルセグデコーダ１７が動作している。また、ワンセグ放送の処理系では、パターン検出部１８１とバッファ１８９が動作している。さらに、ワンセグ放送の処理系では、ＩＤＲピクチャが検出されるタイミングで、可変長復号部（ＶＬＤ）１８２、逆量子化部（ＩＱ）１８３、逆ＤＣＴ変換部（ＩＤＣＴ）１８４、デブロッキングフィルタ（ＤＦ）１８６、及びワンセグのフレームメモリ１８７が動作する。ＩＤＲピクチャごとに復号を行うため、ワンセグの動き補償部（ＭＣ）１８８は動作しない。
【００９２】
フルセグ放送の受信状態が悪化してフルセグ放送からワンセグ放送に出力が切り替えられた場合（状態Ｂ）、フルセグデコーダ１７の動作は停止する。また、状態Ｂにおいても、ワンセグ放送の処理系のパターン検出部１８１およびバッファ１８９の動作は維持される。また、ワンセグ放送の処理系の可変長復号部１８２、逆量子化部１８３、逆ＤＣＴ変換部１８４、デブロッキングフィルタ１８６、及びフレームメモリ１８７は、フレームメモリ１８７に復号して保存しておいたＩＤＲピクチャの次のＩＤＲピクチャからストリームを復号するための動作を行う。これにより、フルセグ放送からワンセグ放送に切り替えられたときに、フレームメモリ１８７に保存しておいた復号済みのＩＤＲピクチャがまず表示され、次のＩＤＲピクチャからは、復号しながらストリームの表示を行うため、違和感が少なく切り替え表示が行われる。
【００９３】
そしてフルセグ放送の受信状態が再度良好となってワンセグ放送からフルセグ放送に復帰する場合（状態Ｃ）、状態Ａと同様にフルセグデコーダ１７と、ワンセグ放送の処理系のパターン検出部１８１及びワンセグのバッファ１８９が動作し、さらに、ＩＤＲピクチャが検出されるタイミングで、可変長復号部１８２、逆量子化部１８３、逆ＤＣＴ変換部１８４、デブロッキングフィルタ１８６、及びフレームメモリ１８７が動作する。ここではワンセグの動き補償部１８８は動作しない。
【００９４】
（第４の実施例）
図１３は、本発明によるデジタル放送受信機の第４の実施例の動作を説明するための図である。フルセグ放送とワンセグ放送との切換を行うデジタル放送受信機において、本発明に係る第４の実施例では、フルセグ放送を復号して出力しているときに、ワンセグ放送の符号化データからＩＤＲピクチャを検出し、検出したＩＤＲピクチャ以後、次のＩＤＲピクチャまでのストリームをバッファに保存しておく。そしてフルセグ放送からワンセグ放送に切り替える際には、ワンセグ放送の復号が可能になるまでフルセグ放送の静止画を表示するとともに、ワンセグ放送の処理系では、バッファに保存したＩＤＲピクチャから早送り再生を行い、バッファの保存データが空になった時点でフルセグ放送の静止画からワンセグ放送の通常の復号表示に切り換えることで、低消費電力化を図るとともに、フルセグからワンセグへの切り替え時の表示を違和感なく迅速に行うことができるようにしている。
【００９５】
例えば、図１３の状態Ａにてフルセグ放送を復号して出力させているものとする。この状態Ａでは、ワンセグ放送の処理系では、ワンセグデコーダ１８に入力した符号化ストリームからパターン検出部１８１でＩＤＲピクチャを検出する。ここではパターン検出部１８１は、ＩＤＲピクチャをパターンマッチングで検出する処理を行う。
【００９６】
そして、ワンセグデコーダ１８では、パターン検出部１８１で検出したＩＤＲピクチャ以後のストリームをバッファ１８９に記憶させる。そしてパターン検出部１８１が次のＩＤＲピクチャを検出した場合には、これまで記憶させていた前回のＩＤＲピクチャから今回のＩＤＲピクチャの直前のピクチャまでのストリームをバッファ１８９から削除して廃棄し、今回のＩＤＲピクチャ以後のストリームをバッファ１８９に保存させる。こうしてフルセグ放送を復号して出力している間は、このようなワンセグ放送のＩＤＲピクチャごとのストリームの保存処理を繰り返して実行する。このように、フルセグ放送が出力されている状態Ａでは、本実施例は、前述の第１の実施例と同様に動作する。
【００９７】
次に、デジタル放送受信機は、状態Ａでフルセグ放送の受信品質の劣化等によりワンセグ放送の出力に切り替えた場合には、状態Ｂに移行する。フルセグ放送の受信品質が劣化した場合には、フルセグ放送の復号は不可となる。そしてフルセグ放送からワンセグ放送に切り替えられたときに、ワンセグデコーダ１８では、バッファ１８９に保存していたストリームを最初のＩＤＲピクチャから復号し、表示部２０に対して出力させる。このときに、復号したストリームはコマ落としをしながら早送りで表示し、バッファ１８９が空になるまで早送りを続ける。コマ落としでは、例えば３つうち２つのフレームを削除して出力する処理を行う。そしてバッファ１８９が空になった時点で、ワンセグ放送の通常の復号処理を行って出力表示させる。
【００９８】
つまり状態Ｂでは、その切り替わりの当初からバッファ１８９に保存しているＩＤＲピクチャ以後のストリームを復号し、バッファ１８９が空になるまでコマ落とししながら早送りして表示させる。ここでは切り替え時にワンセグ放送からＩＤＲピクチャを探索する必要がなく、バッファ１８９に保存しているストリームの復号をただちに開始することができる。
【００９９】
ワンセグ放送を出力している状態（状態Ｂ）から、受信状態の改善により再度フルセグ放送の出力に切り替える場合、状態Ｃに移行する。状態Ｃでは、フルセグ放送のストリームの復号を行って、出力可能となったところでワンセグ放送からフルセグ放送に切り替えればよい。フルセグ放送は、ストリームのＩピクチャから復号して表示させることができる。フルセグ放送が出力されている状態Ｃでは、状態Ａと同様に、ワンセグ放送のストリームからＩＤＲピクチャを検出し、次のＩＤＲピクチャまでのストリームをバッファ１８９に保存する処理を繰り返していく。
【０１００】
本実施例の処理によれば、フルセグ放送を出力時には、ワンセグ放送の処理系では、パターン検出部１８１でＩＤＲピクチャを検出し、バッファ１８９に保存する処理のみが実行されるので、ワンセグ放送の通常の復号処理と比較して消費電力を削減させることができる。
【０１０１】
図１４及び図１５は、本発明によるデジタル放送受信機の第４の実施例における処理の流れを説明するためのフローチャートである。
デジタル放送受信機１では、フルセグ放送を受信中にその受信品質を監視している。そしてフルセグ放送の受信品質が悪化していない場合には（ステップＳ８１−Ｎｏ）、ワンセグデコーダ１８のパターン検出部１８１に符号化ストリームのデータを入力し（ステップＳ８２）、パターン検出部１８１にてＩＤＲピクチャの先頭を検出する（ステップＳ８３）。ＩＤＲピクチャの先頭が検出されなければ、パターン検出部１８１に対するデータ入力を続行し、ＩＤＲピクチャの先頭が検出された場合には（ステップＳ８３−Ｙｅｓ）、ワンセグデコーダ１８では、パターン検出部１８１の内容をバッファ１８９に保存する（ステップＳ８４）。パターン検出部１８１の内容とは、検出したＩＤＲピクチャ以後に入力したストリームのデータである。
【０１０２】
そして、この状態でフルセグ放送の受信品質が悪化していなければ（ステップＳ８５−Ｎｏ）、パターン検出部１８１に対するワンセグ放送のストリームのデータ入力を行う（ステップＳ８６）。そしてＩＤＲピクチャの先頭が検出されると（ステップＳ８７−Ｙｅｓ）、バッファ１８９をクリアし（ステップＳ８８）、パターン検出部１８１の内容をバッファに保存する（ステップＳ８４）。
【０１０３】
一方、上記ステップＳ８１、もしくはステップＳ８５でフルセグ放送の受信品質が悪化した場合には、フルセグ放送の受信品質が回復していないことを確認し（ステップＳ８９−Ｎｏ）、ワンセグデコーダ１８のバッファ１８９からストリームのデータを読み出す（ステップＳ９０）。フルセグ放送の受信品質が回復していればステップＳ８１に戻る。
ワンセグデコーダ１８では、ステップＳ９０でストリームのデータを読み出した後、バッファ１８９が空になっているか否かを判別し（ステップＳ９１）、空になっていなければ、可変長復号部１８２で可変長復号を行い（ステップＳ９２）、逆量子化部１８３で逆量子化を行い（ステップＳ９３）、逆ＤＣＴ変換部１８４で逆ＤＣＴ変換を行う（ステップＳ９４）。次にフレーム間予測であれば（ステップＳ９５−Ｙｅｓ）、動き補償処理を行い（ステップＳ９６）、デブブロッキングフィルタ処理を行う（ステップＳ９７）。また、フレーム間予測でなければ（ステップＳ９５−Ｎｏ）、そのままデブロッキングフィルタ処理を行う（ステップＳ９７）。
【０１０４】
そして、デブロッキングフィルタ処理を行った画像をコマ落としする画像かとどうかを判別する（ステップＳ９８）。ここでは、バッファ１８９から読み出したデータを早送りして表示するためにコマ落としにて表示させる処理を行う。例えば３フレームのうち２フレームのコマを落とすように定めることができる。ステップＳ９８では、デブロックフィルタ処理された画像がコマ落としする画像のデータか否かを判別する。そして、コマ落としを行わない画像のデータであれば、表示部２０に表示させ、ステップＳ８９に戻る。一方、コマ落としを行う画像のデータであれば、表示部２０への表示を行うことなくステップＳ８９に戻る。こうして、バッファ１８９に保存されているデータを読み出しながら、所定のコマ落としを行って早送り表示を行っていく。
【０１０５】
そして上記のステップＳ９１でバッファ１８９が空になった場合には、ワンセグ放送の通常の復号表示に移行する。すなわち、まずフルセグ放送の受信品質が回復していないことを確認し（ステップＳ１００−Ｎｏ）、ワンセグデコーダ１８にデータを入力し（ステップＳ１０１）、ワンセグデコーダ１８の可変長復号部１８２で可変長復号を行い（ステップＳ１０２）、逆量子化部１８３で逆量子化を行い（ステップＳ１０３）、逆ＤＣＴ変換部１８４で逆ＤＣＴ変換を行う（ステップＳ１０４）。次にフレーム間予測であれば（ステップＳ１０５−Ｙｅｓ）、動き補償処理を行い（ステップＳ１０６）、デブブロッキングフィルタ処理を行う（ステップＳ１０７）。また、フレーム間予測でなければ（ステップＳ１０５−Ｎｏ）、そのままデブロッキングフィルタ処理を行う（ステップＳ１０７）。そして、デブロッキングフィルタ処理を行ったデータを表示させる（ステップＳ１０８）。
また、上記ステップＳ８９、またはＳ１００でフルセグ放送の受信品質が回復していれば、ステップＳ８１に戻って、ワンセグ放送のＩＤＲピクチャ間のストリームをバッファ１８９に保存する処理を開始する。
【０１０６】
図１６は、本発明によるデジタル放送受信機の第４の実施例におけるデコーダ部の制御タイミングの例を示す図である。まずチューナからの制御によってフルセグ放送のストリームが復号されて出力されている場合（状態Ａ）、フルセグデコーダ１７が動作している。またワンセグ放送の処理系では、パターン検出部１８１及びバッファ１８９が動作し、他の部分、すなわち可変長復号部（ＶＬＤ）１８１、逆量子化部（ＩＱ）１８３、逆ＤＣＴ変換部（ＩＤＣＴ）１８４、デブロッキングフィルタ（ＤＦ）１８６、動き補償部（ＭＣ）１８８、及びフレームメモリ１８７は動作していない。また、ワンセグ放送のストリームを早送り表示させるためのコマ送り制御信号は、状態ＡではＯＦＦになっている。コマ送り制御信号は、図２の場合、制御部２１の制御によって生成される信号であり、ワンセグデコーダ１８では、この制御信号に従って例えば３つのうち２つのフレームをコマ落としして出力する処理を実行する。
【０１０７】
フルセグ放送の受信状態が悪化してフルセグ放送からワンセグ放送に出力が切り替えられた場合（状態Ｂ）、フルセグデコーダ１７の動作は停止する。また、ワンセグ放送の処理系では、パターン検出部１８１、可変長復号部１８２、逆量子化部１８３、逆ＤＣＴ変換部１８４、デブロッキングフィルタ１８６、動き補償部１８８、及びフレームメモリ１８７が動作する。そして、バッファ１８９は、状態Ａのときに保存したストリームのデータが空になるまでは動作し、その後動作は停止する。また、コマ送り制御信号は、フルセグ放送からワンセグ放送への切り替え時にＯＮになり、バッファ１８９に保存されたストリームのデータがなくなるとＯＦＦになる。
【０１０８】
そしてフルセグ放送の受信状態が再度良好となってワンセグ放送からフルセグ放送に復帰する場合（状態Ｃ）、状態Ａと同様にフルセグデコーダ１７、及びワンセグ放送の処理系のパターン検出部１８１とバッファ１８９が動作し、他の部分、すなわち、ワンセグ放送の処理系の逆量子化部１８３、逆ＤＣＴ変換部１８４、デブロッキングフィルタ１８６、動き補償部１８８、及びフレームメモリ１８７が動作しない。また、コマ送り制御信号もＯＦＦのままである。
【０１０９】
（第５の実施例）
図１７は、本発明によるデジタル放送受信機の第５の実施例の動作を説明するための図である。フルセグ放送とワンセグ放送との切換を行うデジタル放送受信機において、本発明に係る第５の実施例では、フルセグ放送を復号して出力しているときに、ワンセグ放送の符号化データからＩＤＲピクチャを検出し、検出したＩＤＲピクチャ以後、次のＩＤＲピクチャまでのストリームをバッファに保存しておく。そして再生時には、バッファに保存したＩＤＲピクチャから高速復号を行うが表示はせず、フルセグ放送の復号不可直前の画面を静止画で表示させておく。バッファの保存データが空になった時点でワンセグ放送の通常の復号表示に切り替えることで、低消費電力化を図るとともに、フルセグからワンセグへの切り替え時の表示をより連続性を保って違和感なく迅速に行うことができるようにしている。
【０１１０】
例えば、図１７の状態Ａにてフルセグ放送を復号して出力させているものとする。この状態Ａでは、ワンセグ放送の処理系では、ワンセグデコーダ１８に入力した符号化ストリームからパターン検出部１８１でＩＤＲピクチャを検出する。ここではパターン検出部１８１は、ＩＤＲピクチャをパターンマッチングで検出する処理を行う。
【０１１１】
そして、ワンセグデコーダ１８では、パターン検出部１８１で検出したＩＤＲピクチャ以後のストリームをバッファ１８９に記憶させる。そしてパターン検出部１８１が次のＩＤＲピクチャを検出した場合には、これまで記憶させていた前回のＩＤＲピクチャから今回のＩＤＲピクチャの直前のピクチャまでのストリームをバッファ１８９から削除して廃棄し、今回のＩＤＲピクチャ以後のストリームをバッファ１８９に保存させる。こうしてフルセグ放送を復号して出力している間は、このようなワンセグ放送のＩＤＲピクチャごとのストリームの保存処理を繰り返して実行する。このように、フルセグ放送が出力されている状態Ａでは、本実施例は、前述の第１の実施例と同様に動作する。
【０１１２】
次に、デジタル放送受信機は、状態Ａでフルセグ放送の受信品質の劣化等によりワンセグ放送の出力に切り替えた場合には、状態Ｂに移行する。フルセグ放送の受信品質が劣化した場合には、フルセグ放送の復号は不可となる。そしてフルセグ放送からワンセグ放送に切り替えられたときに、ワンセグデコーダ１８では、バッファ１８９に保存していたストリームを最初のＩＤＲピクチャから復号するが、表示は行わずに廃棄する。状態Ｂでは、フルセグ放送の復号不可直前の画面を静止画で表示させる。状態Ａから状態Ｂへの切り替え時には、ワンセグ放送の処理系では、バッファに１８９に保存されているストリームを通常の復号処理よりもできるだけ高速に復号し、可能な限りバッファ１８９が空になる時間を短縮する。そしてバッファ１８９が空になった時点で、ワンセグ放送の通常の復号処理を行って、フルセグ放送の静止画からワンセグ放送の復号ストリームに切り替えて出力表示させる。
【０１１３】
つまり状態Ｂでは、その切り替わりの当初からバッファ１８９に保存しているＩＤＲピクチャ以後のストリームを、バッファ１８９が空になるまでできるだけ高速に復号させるが、表示させずに廃棄する。その間は、フルセグ放送の復号不可直前の画面を静止画で表示させておく。ここでは切り替え時にワンセグ放送からＩＤＲピクチャを探索する必要がなく、バッファ１８９に保存しているストリームの復号をただちに開始することができる。
【０１１４】
ワンセグ放送を出力している状態（状態Ｂ）から、受信状態の改善により再度フルセグ放送の出力に切り替える場合、状態Ｃに移行する。状態Ｃでは、フルセグ放送のストリームの復号を行って、出力可能となったところでワンセグ放送からフルセグ放送に切り替えればよい。フルセグ放送は、ストリームのＩピクチャから復号して表示させることができる。フルセグ放送が出力されている状態Ｃでは、状態Ａと同様に、ワンセグ放送のストリームからＩＤＲピクチャを検出し、次のＩＤＲピクチャまでのストリームをバッファ１８９に保存する処理を繰り返していく。
【０１１５】
本実施例の処理によれば、フルセグ放送を出力時には、ワンセグ放送の処理系では、パターン検出部１８１でＩＤＲピクチャを検出し、バッファ１８９に保存する処理のみが実行されるので、ワンセグ放送の通常の復号処理と比較して消費電力を削減させることができる。
【０１１６】
図１８及び図１９は、本発明によるデジタル放送受信機の第５の実施例における処理の流れを説明するためのフローチャートである。
デジタル放送受信機１では、フルセグ放送を受信中にその受信品質を監視している。そしてフルセグ放送の受信品質が悪化していない場合には（ステップＳ１１１−Ｎｏ）、ワンセグデコーダ１８のパターン検出部１８１に符号化ストリームのデータを入力し（ステップＳ１１２）、パターン検出部１８１にてＩＤＲピクチャの先頭を検出する（ステップＳ１１３）。ＩＤＲピクチャの先頭が検出されなければ、パターン検出部１８１に対するデータ入力を続行し、ＩＤＲピクチャの先頭が検出された場合には（ステップＳ１１３−Ｙｅｓ）、ワンセグデコーダ１８では、パターン検出部１８１の内容をバッファ１８９に保存する（ステップＳ１１４）。パターン検出部１８１の内容とは、検出したＩＤＲピクチャ以後に入力したストリームのデータである。
【０１１７】
そして、この状態でフルセグ放送の受信品質が悪化していなければ（ステップＳ１１５−Ｎｏ）、パターン検出部１８１に対するワンセグ放送のストリームのデータ入力を行う（ステップＳ１１６）。そしてＩＤＲピクチャの先頭が検出されると（ステップＳ１１７−Ｙｅｓ）、バッファ１８９をクリアし（ステップＳ１１８）、パターン検出部１８１の内容をバッファに保存する（ステップＳ１１４）。
【０１１８】
一方、上記ステップＳ１１１、もしくはステップＳ１１５でフルセグ放送の受信品質が悪化した場合には、フルセグ放送の受信品質が回復していないことを確認し（ステップＳ１１９−Ｎｏ）、ワンセグデコーダ１８のバッファ１８９からストリームのデータを読み出す（ステップＳ１２０）。フルセグ放送の受信品質が回復していればステップＳ１１１に戻る。
ワンセグデコーダ１８では、ステップＳ１２０でストリームのデータを読み出した後、通常の復号よりも高速の復号を行って、バッファ１８９をできるだけ早く空にする処理を行う（ステップＳ１２１）。そしてバッファ１８９が空になっているか否かを判別し（ステップＳ１２２）、空になっていなければ、高速復号を継続する。
【０１１９】
ステップＳ１２２でバッファ１８９が空になった場合には、ワンセグ放送の通常の復号表示に移行する。すなわち、まずフルセグ放送の受信品質が回復していないことを確認し（ステップＳ１２３−Ｎｏ）、ワンセグデコーダ１８にデータを入力し（ステップＳ１２４）、ワンセグデコーダ１８の可変長復号部１８２で可変長復号を行い（ステップＳ１２５）、逆量子化部１８３で逆量子化を行い（ステップＳ１２６）、逆ＤＣＴ変換部１８４で逆ＤＣＴ変換を行う（ステップＳ１２７）。次にフレーム間予測であれば（ステップＳ１２８−Ｙｅｓ）、動き補償処理を行い（ステップＳ１２９）、デブブロッキングフィルタ処理を行う（ステップＳ１３０）。また、フレーム間予測でなければ（ステップＳ１２８−Ｎｏ）、そのままデブロッキングフィルタ処理を行う（ステップＳ１３０）。そして、デブロッキングフィルタ処理を行ったデータを表示させる（ステップＳ１３１）。
また、上記ステップＳ１１９、またはＳ１２３でフルセグ放送の受信品質が回復していれば、ステップＳ１１１に戻って、ワンセグ放送のＩＤＲピクチャ間のストリームをバッファ１８９に保存する処理を開始する。
【０１２０】
図２０は、本発明によるデジタル放送受信機の第５の実施例におけるデコーダ部の制御タイミングの例を示す図である。まずチューナからの制御によってフルセグ放送のストリームが復号されて出力されている場合（状態Ａ）、フルセグデコーダ１７が動作している。またワンセグ放送の処理系では、パターン検出部１８１及びバッファ１８９が動作し、他の部分、すなわち可変長復号部（ＶＬＤ）１８１、逆量子化部（ＩＱ）１８３、逆ＤＣＴ変換部（ＩＤＣＴ）１８４、デブロッキングフィルタ（ＤＦ）１８６、動き補償部（ＭＣ）１８８、及びフレームメモリ１８７は動作していない。
【０１２１】
フルセグ放送の受信状態が悪化してフルセグ放送からワンセグ放送に出力が切り替えられた場合（状態Ｂ）、フルセグデコーダ１７の動作は停止する。このときに、フルセグデコーダ１７の停止直前の復号画像が、デジタル放送受信機の表示部に静止画として表示される。
また、ワンセグ放送の処理系では、パターン検出部１８１、可変長復号部１８２、逆量子化部１８３、逆ＤＣＴ変換部１８４、デブロッキングフィルタ１８６、動き補償部１８８、及びフレームメモリ１８７が動作する。そして、バッファ１８９は、状態Ａのときに保存したストリームのデータが空になるまでは動作し、その後動作は停止する。なお、高速復号期間における復号処理は、バッファ１８９をできるだけ早く空にするために行われるもので、その復号方法に応じて、可変長復号部１８２、逆量子化部１８３、逆ＤＣＴ変換部１８４、デブロッキングフィルタ１８６、動き補償部１８８、及びフレームメモリ１８７の少なくとも一部を使用しないものであってもよい。
【０１２２】
そしてフルセグ放送の受信状態が再度良好となってワンセグ放送からフルセグ放送に復帰する場合（状態Ｃ）、状態Ａと同様にフルセグデコーダ１７、及びワンセグ放送の処理系のパターン検出部１８１とバッファ１８９が動作し、他の部分、すなわち、ワンセグ放送の処理系の可変長復号部１８２、逆量子化部１８３、逆ＤＣＴ変換部１８４、デブロッキングフィルタ１８６、動き補償部１８８、及びフレームメモリ１８７が動作しない。
【０１２３】
（第６の実施例）
図２１は、本発明によるデジタル放送受信機の第６の実施例の動作を説明するための図である。フルセグ放送とワンセグ放送との切換を行うデジタル放送受信機において、本発明に係る第６の実施例では、フルセグ放送を復号して出力しているときには、ワンセグ放送の処理系では処理を行わず、パターン検出部１８１も動作しない。ワンセグＴＳデコーダから出力されるＥＳは、そのまま廃棄している。そしてフルセグ放送からワンセグ放送に切り替える際に、ワンセグ放送の処理系のパターン検出部１８１が動作し、受信ストリームからＩＤＲピクチャを検出したときに、そのＩＤＲピクチャから復号を行ってワンセグ放送の復号ストリームの表示に切り替える。ワンセグ放送の表示に切り替えられるまでは、エラーの有無に関わらず、フルセグ放送を表示させる処理を継続する。従って本実施例では、ワンセグ処理系のバッファ１８９は必要がなく、従来のワンセグデコーダの構成を利用して本実施例の処理を実行できる。
【０１２４】
例えば、図２１の状態Ａにてフルセグ放送を復号して出力させているものとする。この状態Ａでは、ワンセグ放送の処理系ではストリームの蓄積処理や復号処理は行われず、パターン検出部１８１の動作も停止している。
【０１２５】
次に、デジタル放送受信機は、状態Ａでフルセグ放送の受信品質の劣化等によりワンセグ放送の出力に切り替えた場合には、状態Ｂに移行する。フルセグ放送の受信品質が劣化した場合には、フルセグ放送の復号は不可となる。しかしながら、受信品質の劣化が判定され、フルセグ放送からワンセグ放送に切り替えるべきタイミングがすぎても、フルセグ放送の出力を継続する。この場合、復号画像のエラーの有無に関わらずフルセグ放送の出力処理を行う。
【０１２６】
そして、フルセグ放送の受信品質の劣化が判定されると、ワンセグ放送の処理系では、パターン検出部１８１が動作し、入力するワンセグ放送のストリームからＩＤＲピクチャを検出する。そしてストリームからＩＤＲピクチャが検出されると、そのＩＤＲからピクチャから通常の復号を開始し、表示されているフルセグ放送から復号されたワンセグ放送のストリームに切り替えて表示させる。ここでは切り替え時にワンセグ放送からＩＤＲピクチャを探索する必要がなく、ワンセグ放送の入力ストリームからＩＤＲピクチャが検出された時点から復号を開始し、それまではフルセグ放送を表示させておくことで、できるだけ違和感のない表示を行わせることができる。
【０１２７】
ワンセグ放送を出力している状態（状態Ｂ）から、受信状態の改善により再度フルセグ放送の出力に切り替える場合、状態Ｃに移行する。状態Ｃでは、フルセグ放送のストリームの復号を行って、出力可能となったところでワンセグ放送からフルセグ放送に切り替えればよい。フルセグ放送は、ストリームのＩピクチャから復号して表示させることができる。フルセグ放送が出力されている状態Ｃでは、状態Ａと同様に、ワンセグ放送ではパターン検出部１８１を含む復号処理が停止する。
【０１２８】
本実施例の処理によれば、フルセグ放送を出力時には、ワンセグ放送の処理系では動作が停止されるので、ワンセグ放送の通常の復号処理と比較して消費電力を削減させることができる。
【０１２９】
図２２は、本発明によるデジタル放送受信機の第６の実施例における処理の流れを説明するためのフローチャートである。
デジタル放送受信機１では、フルセグ放送を受信中にその受信品質を監視している。そしてフルセグ放送の受信品質が悪化した場合には（ステップＳ１４１−Ｎｏ）、ワンセグデコーダ１８のパターン検出部１８１に符号化ストリームのデータを入力し（ステップＳ１４２）、パターン検出部１８１にてＩＤＲピクチャの先頭を検出する（ステップＳ１４３）。ＩＤＲピクチャの先頭が検出されなければ、パターン検出部１８１に対するデータ入力を続行する。ＩＤＲピクチャの先頭が検出された場合には（ステップＳ１４３−Ｙｅｓ）、ワンセグデコーダ１８の可変長復号部１８２で可変長復号を行い（ステップＳ１４４）、逆量子化部１８３で逆量子化を行い（ステップＳ１４５）、逆ＤＣＴ変換部１８４で逆ＤＣＴ変換を行う（ステップＳ１４６）。次にフレーム間予測であれば（ステップＳ１４７−Ｙｅｓ）、動き補償処理を行い（ステップＳ１４８）、デブブロッキングフィルタ処理を行う（ステップＳ１４９）。また、フレーム間予測でなければ（ステップＳ１４７−Ｎｏ）、そのままデブロッキングフィルタ処理を行う（ステップＳ１４９）。そして、デブロッキングフィルタ処理を行ったデータを表示させる（ステップＳ１５０）。
【０１３０】
そして、フルセグ放送受信品質が回復していなければ（ステップＳ１５１−Ｎｏ）、さらにパターン検出部１８１にデータ入力を行い（ステップＳ１５２）、ステップＳ１４４に続く復号・表示処理を続行する。また、ステップＳ１５１でフルセグ放送の受信品質が回復していればそのまま待機し（ステップＳ１４１）、フルセグ放送の受信品質が悪化したときにワンセグ処理系の処理を再開する。
【０１３１】
図２３は、本発明によるデジタル放送受信機の第６の実施例におけるデコーダ部の制御タイミングの例を示す図である。まずチューナからの制御によってフルセグ放送のストリームが復号されて出力されている場合（状態Ａ）、フルセグデコーダ１７が動作している。またワンセグ放送の処理系では、パターン検出部１８１、可変長復号部（ＶＬＤ）１８１、逆量子化部（ＩＱ）１８３、逆ＤＣＴ変換部（ＩＤＣＴ）１８４、デブロッキングフィルタ（ＤＦ）１８６、動き補償部（ＭＣ）１８８、及びフレームメモリ１８７が動作していない。
【０１３２】
フルセグ放送の受信状態が悪化してフルセグ放送からワンセグ放送に出力が切り替えられた場合（状態Ｂ）、フルセグデコーダ１７の動作は継続し、復号のエラーの有無に関わらず復号処理を継続させフルセグ放送の表示を行わせる。
また、ワンセグ放送の処理系では、状態Ｂへの切り替え時にパターン検出部１８１が動作し、ＩＤＲピクチャが検出されると、それ以後のワンセグ放送のストリームの復号が行われる。即ち、可変長復号部１８２、逆量子化部１８３、逆ＤＣＴ変換部１８４、デブロッキングフィルタ１８６、動き補償部１８８、及びフレームメモリ１８７が動作する。ワンセグ放送の復号が開始されれば、フルセグデコーダ１７は停止させることができる。
【０１３３】
そしてフルセグ放送の受信状態が再度良好となってワンセグ放送からフルセグ放送に復帰する場合（状態Ｃ）、状態Ａと同様にフルセグデコーダ１７が動作し、ワンセグ放送の処理系のパターン検出部１８１、可変長復号部１８２、逆量子化部１８３、逆ＤＣＴ変換部１８４、デブロッキングフィルタ１８６、動き補償部１８８、及びフレームメモリ１８７の動作が停止する。
【０１３４】
図２４は、本発明に係るデジタル放送受信機において、Ｈ．２６４／ＡＶＣに基づくＩＤＲピクチャの先頭を検出するときの処理の一例を説明するためのフローチャートである。本処理例は、上記実施例１〜６の各例に適用することができる。
上述したように、ワンセグ放送の画像符号化方式としてＨ．２６４／ＡＶＣが用いられている。Ｈ．２６４／ＡＶＣでは、単独で復号可能なキーフレームとしてＩＤＲピクチャが用いられる。ワンセグデコーダ１８のパターン検出部１８１では、ＩＤＲピクチャの検出を以下の処理例に従って行っている。
【０１３５】
ワンセグデコーダ１８のパターン検出部１８１では、入力するワンセグ放送のストリームのＴＳヘッダを解析する（ステップＳ１６１）。そしてＴＳ内のペイロードの先頭がＰＥＳ（Packetized Elementally Stream）ヘッダ０ｘ０００００１か否かを判別する（ステップＳ１６２）。ここでペイロードの先頭が上記のＰＥＳヘッダに該当すれば、ＰＥＳペイロード（ＥＳ（Elementally Stream））の先頭位置を検出する（ステップＳ１６３）。
【０１３６】
次に、ＰＥＳペイロードの先頭から調べて、ＮＡＬ（Network Abstraction Layer)ユニットスタートコード０ｘ０００００１が含まれているか否かを判定する（ステップＳ１６４）。ここでＰＥＳペイロードに上記のスタートコードが含まれていれば、次にnal unit typeがＡＵ（Access Unit Delimiter）デリミタか否か判定する（ステップＳ１６５）。つまり、ＮＡＬスタートコードの次のバイトのＬＳＢ５ビット（ＭＳＢ ＦＩＲＳＴ）がＡＵの識別子９であるか否かを判定する。
【０１３７】
nal unit typeがAUデリミタであれば、primary pic type＝０であるか否かを判定する（ステップＳ１６６）。つまり、ＮＡＬスタートコードの次の次のバイトの上２ビット（ＭＳＢ ＦＩＲＳＴ）が０であるか否かを判定する。ここで、primary pic type＝０であれば、ＩＤＲピクチャの先頭であることが判定できる（ステップＳ１６７）。
また、上記ステップＳ１６２，Ｓ１６４，Ｓ１６５，Ｓ１６６のいずれかで否であれば、ＩＤＲピクチャの先頭ではないことが判定できる（ステップＳ１６８）。
【０１３８】
上記の各実施例では、フルセグ放送とワンセグ放送との放送サービスがサイマル放送によって提供されている例を説明したが、各実施例の動作は、サイマル放送に限ることなく、フルセグ放送とワンセグ放送との番組が異なる場合であっても適用することができる。この場合には、ユーザは、切替先の放送内容を早期に確認でき、さらなるチャンネル切り替えの要否を早期に判断することができる。
【０１３９】
また、上記の各実施例は、フルセグ放送とワンセグ放送との切り替えのみならず、ワンセグ（もしくはフルセグ）放送の受信機能と、Ｅメール等のアプリケーションが動作する機能との切り替え動作に対しても適用することができる。例えば、ワンセグ放送の視聴中に一端Ｅメール等のアプリケーションの動作画面に切り替えた後、再度ワンセグ放送の視聴に復帰させるとき、アプリケーションの動作画面の表示中にワンセグ放送の復号系を停止させてしまうと、省電力効果が得られるものの、ワンセグ放送への速やかな復帰ができなくなる。これに対して本発明の実施例の動作を適用することで、Ｅメール等のアプリケーションの動作画面を表示中に、ワンセグ放送（もしくはフルセグ放送）のキーフレーム間の符号化ストリームをバッファに保存し（実施例１，４，５）、もしくはキーフレームをバッファに保存し（実施例２）、もしくはキーフレームの復号データをフレームメモリに保存することで（実施例３）、アプリケーションの動作画面からワンセグ放送（もしくはフルセグ放送）への切り替え時にこれらの保存データを用いてただちに切り替え表示させることができる。
【０１４０】
また、上記の各実施例は、フルセグ（１２セグメント）とワンセグ（１セグメント）の放送サービスとの切り替えのみならず、４セグメントを用いたＳＤ放送の切り替えに適用することもできる。例えば、４セグメントのＳＤ放送を２〜３番組同時に放送しているときに、そのいずれかのＳＤ放送を出力しているときに、ワンセグ放送に切り替える場合に、上記の各実施例の処理を実行することができる。また、ワンセグ放送から、ＳＤ放送に切り替える場合にも同様である。
【０１４１】
また、ワンセグチューナを２つ備えたデジタル放送受信機や、フルセグチューナを２つ備えたデジタル放送受信機において、ワンセグ放送サービス同士の切り替え動作時や、フルセグ放送サービスの切り替え動作時に対しても上記の各実施例の動作を適用することができる。これらの場合には、主にユーザ操作よって放送番組が切り替えられる。このときデジタル放送受信機では、出力されていない放送サービスの番組のキーフレーム、もしくはキーフレーム間のストリームをバッファやフレームメモリに保存しておき、主にユーザ操作によって番組が切り替えられたときに、バッファやフレームメモリに保存したデータを使用して速やかに切り替えを行う。
【０１４２】
また、このような場合に、出力していない放送番組のチャンネルを予め定めておくようにしてもよいが、切り替え後のチャンネルを予測してそのチャンネルの放送番組について、キーフレームやキーフレーム間のストリームをバッファやフレームメモリに保存させる処理を行うようにしてもよい。切り替え後のチャンネルの予測の方法の一例として、デジタル放送受信機にて、ユーザによる直前のチャンネル選択の傾向を記憶しておき、その傾向に従って次の切り替え候補となるチャンネルを予測してもよい。例えば、チャンネル選択をトグルによって実行する場合、ユーザによる過去のチャンネル選択が昇順で行われた場合、現在のチャンネルに対して昇順に次のチャンネルを切り替え候補として推測し、そのチャンネルの放送番組について、キーフレームやキーフレーム間のストリームをバッファやフレームメモリに保存させる処理を行う。ユーザの過去のチャンネル選択が降順である場合にも同様に予測できる。
【０１４３】
また、フルセグ放送とワンセグ放送とを切り替えて出力可能な上記実施形態のデジタル放送受信機において、フルセグ放送のストリームに遅延を持たせてワンセグ放送と見た目の同期をとるようにしてもよい。
フルセグ放送とワンセグ放送では、同じ番組を放送している場合であっても、デジタル放送受信機では、通常ワンセグ放送の方がフルセグ放送より遅れて映像表示が行われる。これは、放送波そのものにおいてもワンセグ放送の方が遅れて送信され、さらにワンセグデコーダにおける復号遅れも要因となってワンセグ放送の映像表示が時間的に遅延する。この遅延時間は一概には言えないが、例えば、フルセグ放送とワンセグ放送をテレビで同時に見ているとき、ワンセグ放送の方が２秒程度遅れて表示される。
【０１４４】
上記のような時間的な遅延を解消するために、デジタル放送受信機内にバッファを設けフルセグ放送のストリームを例えば２秒程度遅延させることで、フルセグ放送とワンセグ放送との時間的遅延を解消し、フルセグ放送とワンセグ放送との出力を切り替えたときに、より違和感のない切り替えを行うことができる。
つまり、デジタル放送受信機に、複数セグメント放送信号の出力を所定時間遅延させる手段を設けることで、同一番組を放送しているときに出力までの時間差が生じる複数セグメント放送とワンセグメント放送との出力の時間差をなくすようにすることができる。
【符号の説明】
【０１４５】
１…デジタル放送受信機、１０…アンテナ、１１…フルセグチューナ、１２…ワンセグチューナ、１３…フルセグＯＦＤＭ復調部、１４…ワンセグＯＦＤＭ復調部、１５…フルセグＴＳデコーダ、１６…ワンセグＴＳデコーダ、１７…フルセグデコーダ、１８…ワンセグデコーダ、１９…映像切替部、２０…表示部、２１…制御部、２２…操作入力部、１００…携帯電話、１０１…表示部、１０２…キー入力部、１７１…可変長復号部、１７２…逆量子化部、１７３…逆ＤＣＴ部、１７４…加算部、１７５…動き補償部、１７６…フレームメモリ、１８１…パターン検出部、１８２…可変長復号部、１８３…逆量子化部、１８４…逆ＤＣＴ変換部、１８５…加算部、１８６…デブロッキングフィルタ、１８７…フレームメモリ、１８８…動き補償部、１８９…バッファ。
【図１】
2010206258.tif 000003
【図２】
2010206258.tif 000004
【図３】
2010206258.tif 000005
【図４】
2010206258.tif 000006
【図５】
2010206258.tif 000007
【図６】
2010206258.tif 000008
【図７】
2010206258.tif 000009
【図８】
2010206258.tif 000010
【図９】
2010206258.tif 000011
【図１０】
2010206258.tif 000012
【図１１】
2010206258.tif 000013
【図１２】
2010206258.tif 000014
【図１３】
2010206258.tif 000015
【図１４】
2010206258.tif 000016
【図１５】
2010206258.tif 000017
【図１６】
2010206258.tif 000018
【図１７】
2010206258.tif 000019
【図１８】
2010206258.tif 000020
【図１９】
2010206258.tif 000021
【図２０】
2010206258.tif 000022
【図２１】
2010206258.tif 000023
【図２２】
2010206258.tif 000024
【図２３】
2010206258.tif 000025
【図２４】
2010206258.tif 000026
【図２５】
2010206258.tif 000027